(57)【要約】【課題】単一のフレキシブルプリント基板を採用して、このフレキシブルプリント基板の作動形状に工夫を凝らしつつ複数の電飾作動素子と共に変位可能な構成とすることで、従来必須とされてきた基板点数、各電飾作動素子の電飾作動のための配線等の部品点数や組み立て作業工数を軽減させるようにしたパチンコ遊技機のための可動演出装置を提供する。【解決手段】可動演出装置において、電飾盤の具備するフレキシブルプリント基板２１１は、基板部２１１ａと、この基板部の両端部から一体的に延出されてなる両側可動板部２１１ｂとでもって構成されており、複数のＬＥＤが、それぞれ、両側可動板部２１１ｂの両延出端部２１１に搭載されている。しかして、フレキシブルプリント基板２１１は、両側可動板部にて、互いに逆方向に移動することで、開閉する。【選択図】図５
2011229843.tif 000002
【特許請求の範囲】
【請求項１】
パチンコ遊技機の遊技盤に設けられる可動演出装置において、
電飾盤と、駆動手段とを備えて、
前記電飾盤は、単一のフレキシブルプリント基板と、複数の電飾作動素子とを具備しており、
前記フレキシブルプリント基板は、前記遊技盤の一部に支持される基板部と、この基板部の両側対向端部からそれぞれ一体的に延出されて互いに逆向きに外方へ凸な湾曲形状となって前記基板部の前側へ湾曲する両側可動板部とでもって構成されており、
前記複数の電飾作動素子は、それぞれ、前記両側可動板部の各延出端部の少なくとも一方の外面に分散して搭載されており、
前記駆動手段は、前記フレキシブルプリント基板の前記両側可動板部を変位させるように駆動することを特徴とするパチンコ遊技機のための可動演出装置。
【請求項２】
パチンコ遊技機の遊技盤であってその中央開口部の外周部に沿い環状センター構造物を組み付けてなる遊技盤に備えられる可動演出装置において、
支持体と、電飾盤と、駆動手段とを備えて、
前記支持体は、
前記環状センター構造物の一部に形成した開口部を通して前方を臨むように設けられる支持板と、
前記支持板にその横幅方向に沿うように、かつ当該支持板に対し間隔をおいて対向するように位置する前板部と、この前板部の両端部から前記支持板に向けて延出されて当該支持板に組み付けられる両側脚部とを設けてなる湾曲状案内板とを具備しており、
前記電飾盤は、単一のフレキシブルプリント基板と、複数の電飾作動素子とを具備しており、
前記フレキシブルプリント基板は、
前記支持板に支持されて前記環状センター構造物の前記開口部を通して前方を臨むように前記支持板に組み付けられる基板部と、
前記基板部の両側対向端部からそれぞれ一体的に前記環状センター構造物の前記開口部側へ延出されて互いに逆向きに外方へ凸な湾曲形状となって前記基板部の前側へ湾曲する両側可動板部とでもって構成されており、
前記複数の電飾作動素子は、それぞれ、前記両側可動板部の各延出端部の少なくとも一方の外面に分散して搭載されており、
前記駆動手段は、前記支持板に組み付けられるとともに、前記湾曲状案内板の前記前板部に沿い帯状に形成した案内溝部を介し、前記両側可動板部の各延出端部から前記前板部の前面に沿いこれに交差する方向に延出する両側連結片の各々に連結されて、当該両連結片を前記案内溝部に沿って変位させるように駆動することを特徴とするパチンコ遊技機のための可動演出装置。
【請求項３】
前記駆動手段は、
前記支持板にその裏側から組み付けられて当該支持板に回転自在に挿通してなる回転軸を有する電動機と、
前記支持板と前記湾曲状案内板の前記前板部との間にて前記電動機の前記回転軸に同軸的に支持される駆動歯車部材と、この駆動歯車部材にその両側からそれぞれ噛合するように前記支持板と前記湾曲状案内板の前記前板部との間にて前記支持板に回転可能に支持される両側被動歯車部材とからなる歯車列と、
両側長手状リンク部材とを備えて、
前記両側被動歯車部材は、それぞれ、歯車と、この歯車の外周部から当該歯車の軸に平行となるように前記湾曲状案内板の前記前板部側に向けて突出する突起とを備えており、
前記両側長手状リンク部材は、それぞれ、前記両側被動歯車部材の前記各突起から相対回動可能に対応の前記歯車の軸に直角に延出されており、
前記両側被動歯車部材の一方の被動歯車部材は、その対応の前記長手状リンク部材の延出端部にて、前記湾曲状案内板の前記前板部の前記案内溝部を介し前記両連結片の一方と相対回動可能に連結されており、
他方の被動歯車部材は、その対応の前記長手状リンク部材の延出端部にて、前記前板部の前記案内溝部を介し前記他方の連結片と相対回動可能に連結されていることを特徴とする請求項２に記載のパチンコ遊技機のための可動演出装置。
【請求項４】
前記湾曲状案内板の前記前板部は、前記帯状案内溝部を下側帯状案内溝部として、この下側帯状案内溝部に加えて、当該下側帯状案内溝部の上側にてこの下側帯状案内溝部に平行に中側帯状案内溝部及び上側帯状案内溝部を設けてなり、
前記駆動手段は、
前記支持板にその裏側から組み付けられて当該支持板に回転自在に挿通してなる回転軸を有する電動機と、
前記支持板と前記湾曲状案内板の前記前板部との間にて前記電動機の前記回転軸に同軸的に支持される回転板と、この回転板の回転中心からその一回転半径方向に沿い外方へ互いに間隔をおいて位置するように前方に向けて突出される両一側押動突起と、前記回転板の前記回転中心から前記一回転半径方向とは逆向きの他回転半径方向に沿い前記両一側押動突起の各々とそれぞれ各同一円周上に位置するように前方に向けて突出される両他側押動突起とを有する回転体と、
一側板状カムと、この一側板状カムをその板面にて前記湾曲状案内板の前記前板部側から前記回転板に沿わせるように前記一側板状カムから前記両側連結片の一方の延出方向には互いに間隔をおいて前記回転体の前記両一側押動突起の各軸には平行になってそれぞれ前記前板部に向け突出して当該前板部の下側、中側及び上側の３つの帯状案内溝部のうち互いに隣り合う両帯状案内溝部の各々を変位可能に通り前記両側連結片の前記一方の延出端部に連結される両一側連結突起とを設けてなる一側カム部材と、
他側板状カムと、この他側板状カムをその板面にて前記湾曲状案内板の前記前板部側から前記回転板に沿わせるように前記他側板状カムから前記両側連結片の他方の延出方向には互いに間隔をおいて前記回転体の前記両他側押動突起の各軸には平行になってそれぞれ前記前板部に向け突出して当該前板部の下側、中側及び上側の３つの帯状案内溝部のうち互いに隣り合う他の両帯状案内溝部の各々を変位可能に通り前記両側連結片の前記他方の延出端部に連結される両他側連結突起とを設けてなる他側カム部材とを備えて、
前記一側及び他側の各カム部材は、それぞれ、前記回転体の一方向への回転に応じて、前記両一側押動突起のうち前記回転板の前記回転中心に近い一側押動突起及び前記両他側押動突起のうち前記回転板の前記回転中心に近い他側押動突起により、前記一側及び他側の各板状カムにて、前記回転板の前記回転中心側から前記回転板に沿い互いに離れる方向へ押動され、また、前記回転体の前記一方向へのさらなる回転に応じて、前記両一側押動突起のうちの残りの一側押動突起及び前記両他側押動突起のうちの残りの他側押動突起により、前記一側及び他側の各板状カムにて、前記回転板の外周側から前記回転板に沿い互いに近づく方向へ押動されるようになっていることを特徴とする請求項２に記載のパチンコ遊技機のための可動演出装置。
【発明の詳細な説明】
【技術分野】
【０００１】
本発明は、パチンコ遊技機に係り、特に、遊技者の遊技に伴い遊技盤の盤面に沿い動作することで演出するようにしたパチンコ遊技機のため可動演出装置に関する。
【背景技術】
【０００２】
従来、パチンコ遊技機においては、下記特許文献１に記載の可動盤面部品を有する遊技機が提案されている。この遊技機の可動盤面部品は、ギミックからなるもので、当該ギミックは、ギミック本体と、このギミック本体を駆動する駆動機構とにより構成されている。
【０００３】
しかして、当該可動盤面部品は、遊技機の中央開口部の下部に位置して、ギミック本体にて、駆動機構による駆動のもと、当該駆動機構を基準にて、左右方向に回動する。
【先行技術文献】
【特許文献】
【０００４】
【特許文献１】特開２００９−１９５３３９号公報
【発明の概要】
【発明が解決しようとする課題】
【０００５】
ところで、上記構成の可動盤面部品においては、上述したごとく、ギミック本体が、駆動機構による駆動のもと、当該駆動機構を基準に、左右方向に回動するにすぎない。これでは、当該可動盤面部品の演出効果としては、面白みに欠けるという不具合が生ずる。
【０００６】
また、上記構成の可動盤面部品において、ギミック本体は、表面部材、プリント基板、アーム部及びハーネスを備えている。そして、プリント基板は、表面部材にその裏面側から設けられており、このプリント基板には、表面部材にその裏面側から対向するように複数の発光ダイオードが搭載されている。ハーネスは、複数の発光ダイオードを電源に接続するように、アーム部に沿い配線されている。
【０００７】
従って、複数の発光ダイオードをハーネスにより電源に接続するにあたり、ハーネスを、コネクタを介し、電源に接続するという面倒な作業が必要となり、複数の発光ダイオードの電源への接続に手間がかかるという不具合がある。
【０００８】
そこで、本発明は、以上のようなことに対処するため、単一のフレキシブルプリント基板を採用して、このフレキシブルプリント基板の作動形状に工夫を凝らしつつ複数の電飾作動素子と共に変位可能な構成とすることで、従来必須とされてきた基板点数、各電飾作動素子の電飾作動のための配線等の部品点数や組み立て作業工数を軽減させるようにしたパチンコ遊技機のための可動演出装置を提供することを目的とする。
【課題を解決するための手段】
【０００９】
上記課題の解決にあたり、本発明は、請求項１の記載によれば、パチンコ遊技機の遊技盤（Ｂａ）に設けられる可動演出装置において、
電飾盤（２１０、３１０）と、駆動手段（ＤＲ、ＤＲａ）とを備えて、
上記電飾盤は、単一のフレキシブルプリント基板（２１１、３１１）と、複数の電飾作動素子（２２１〜２２６、３２１〜３２６）とを具備しており、
上記フレキシブルプリント基板は、上記遊技盤の一部に支持される基板部（２１１ａ、３１１ａ）と、この基板部の両側対向端部からそれぞれ一体的に延出されて互いに逆向きに外方へ凸な湾曲形状となって上記基板部の前側へ湾曲する両側可動板部（２１１ｂ、３１１ｂ）とでもって構成されており、
上記複数の電飾作動素子は、それぞれ、上記両側可動板部の各延出端部（２１１ｃ、３１１ｃ）の少なくとも一方の外面に分散して搭載されており、
上記駆動手段は、上記フレキシブルプリント基板の上記両側可動板部を変位させるように駆動することを特徴とするパチンコ遊技機のための可動演出装置である。
【００１０】
これによれば、フレキシブルプリント基板が両側可動板部を変位させるので、可動演出装置を、例えば、遊技盤の環状のセンター構造物の上部中央に設ければ、電飾盤が、遊技者にとって、あたかも、フレキシブルプリント基板の両側可動板部にて動いているように見える。
【００１１】
しかも、これに伴い、フレキシブルプリント基板の両側可動板部の各延出端部の少なくとも一方に搭載した各電飾作動素子が電飾作動すれば、遊技者には、各電飾作動素子の電飾作用が、フレキシブルプリント基板の両側可動板部の動きに応じて、その動き方向に往復動するように見える。その結果、この種のパチンコ遊技機において、従来とは違った面白みのある演出効果が当該可動演出装置により達成され得る。
【００１２】
ここで、上述のように、基板部と、この基板部から一体的に延出されて電飾作動素子を電飾作動可能に搭載してなる各両側可動板部とが、単一のフレキシブルプリント基板でもって構成される。
【００１３】
このため、可動演出装置において従来必須とされてきた複数の基板が、単一のフレキシブル基板で済むこととなり、その結果、可動演出装置における構成部品の点数、各電飾作動素子の電飾作動のための配線等の接続部品の点数や可動演出装置の組み立て作業工数を低減することができる。
【００１４】
また、本発明は、請求項２の記載によれば、パチンコ遊技機の遊技盤であってその中央開口部（１３）の外周部に沿い環状センター構造物（３０）を組み付けてなる遊技盤（Ｂａ）に備えられる可動演出装置において、
支持体（Ｓ、Ｓａ）と、電飾盤（２１０、３１０）と、駆動手段（ＤＲ、ＤＲａ）とを備えて、
上記支持体は、
上記環状センター構造物の一部に形成した開口部（３１）を通して前方を臨むように設けられる支持板（２４０、３４０）と、
上記支持板にその横幅方向に沿うように、かつ当該支持板に対し間隔をおいて対向するように位置する前板部（２５２、３５２）と、この前板部の両端部から上記支持板に向けて延出されて当該支持板に組み付けられる両側脚部（２５１、３５１）とを設けてなる湾曲状案内板（２５０、３５０）とを具備しており、
上記電飾盤は、単一のフレキシブルプリント基板（２１１、３１１）と、複数の電飾作動素子（２２１〜２２６、３２１〜３２６）とを具備しており、
上記フレキシブルプリント基板は、
上記支持板に支持されて上記環状センター構造物の上記開口部を通して前方を臨むように上記支持板に組み付けられる基板部（２１１ａ、３１１ａ）と、
上記基板部の両側対向端部からそれぞれ一体的に上記環状センター構造物の上記開口部側へ延出されて互いに逆向きに外方へ凸な湾曲形状となって上記基板部の前側へ湾曲する両側可動板部（２１１ｂ、３１１ｂ）とでもって構成されており、
上記複数の電飾作動素子は、それぞれ、上記両側可動板部の各延出端部（２１１ｃ、３１１ｃ）の少なくとも一方の外面に分散して搭載されており、
上記駆動手段は、上記支持板に組み付けられるとともに、上記湾曲状案内板の上記前板部に沿い帯状に形成した案内溝部（２５２ａ）を介し、上記両側可動板部の各延出端部から上記前板部の前面に沿いこれに交差する方向に延出する両側連結片（２３１、２３２、３３１、３３２）の各々に連結されて、当該両連結片を上記案内溝部に沿って変位させるように駆動することを特徴とするパチンコ遊技機のための可動演出装置である。
【００１５】
これによれば、フレキシブルプリント基板が、その基板部の両側対向端部を基準にして、両側可動板部を互いに逆方向に変位させるので、可動演出装置を、例えば、遊技盤の環状のセンター構造物の上部中央に設ければ、電飾盤が、遊技者にとって、あたかも、フレキシブルプリント基板の両側可動板部にて開いたり閉じたりするように見える。
【００１６】
しかも、これに伴い、フレキシブルプリント基板の両側可動板部の各延出端部の少なくとも一方に搭載した各電飾作動素子が電飾作動すれば、遊技者には、各電飾作動素子の電飾作用が、フレキシブルプリント基板の開閉に応じて、その開閉方向に往復動するように見える。その結果、この種のパチンコ遊技機において、従来とは違った面白みのある演出効果が当該可動演出装置により達成され得る。
【００１７】
ここで、上述のように、基板部と、この基板部から一体的に延出されて電飾作動素子を電飾作動可能に搭載してなる各両側可動板部とが、単一のフレキシブルプリント基板でもって構成される。
【００１８】
このため、可動演出装置において従来必須とされてきた複数の基板が、単一のフレキシブル基板で済むこととなり、その結果、可動演出装置における構成部品の点数、各電飾作動素子の電飾作動のための配線等の接続部品の点数や可動演出装置の組み立て作業工数を低減することができる。
【００１９】
以上によれば、可動装飾体の構成に上述のように工夫を凝らすことで、演出効果をより一層高めることができ、かつ、単一のフレキシブルプリント基板を複数の電飾作動素子と共に変位可能とするように構成することで、従来必須とされてきた基板点数、各電飾作動素子の電飾作動のための配線等の部品点数や組み立て作業工数を軽減させることができる。
【００２０】
また、本発明は、請求項３の記載によれば、請求項２に記載のパチンコ遊技機のための可動演出装置において、
上記駆動手段は、
上記支持板にその裏側から組み付けられて当該支持板に回転自在に挿通してなる回転軸（２８２）を有する電動機（２８０）と、
上記支持板と上記湾曲状案内板の上記前板部との間にて上記電動機の上記回転軸に同軸的に支持される駆動歯車部材（２７０ｃ）と、この駆動歯車部材にその両側からそれぞれ噛合するように上記支持板と上記湾曲状案内板の上記前板部との間にて上記支持板に回転可能に支持される両側被動歯車部材（２７０ａ、２７０ｂ）とからなる歯車列（２７０）と、
両側長手状リンク部材（２６０ａ、２６０ｂ）とを備えて、
上記両側被動歯車部材は、それぞれ、歯車（２７１ａ、２７１ｂ）と、この歯車の外周部から当該歯車の軸に平行となるように上記湾曲状案内板の上記前板部側に向けて突出する突起（２７２ａ、２７２ｂ）とを備えており、
上記両側長手状リンク部材は、それぞれ、上記両側被動歯車部材の上記各突起から相対回動可能に対応の上記歯車の軸に直角に延出されており、
上記両側被動歯車部材の一方の被動歯車部材は、その対応の上記長手状リンク部材の延出端部にて、上記湾曲状案内板の上記前板部の上記案内溝部を介し上記両連結片の一方と相対回動可能に連結されており、
他方の被動歯車部材は、その対応の上記長手状リンク部材の延出端部にて、上記前板部の上記案内溝部を介し上記他方の連結片と相対回動可能に連結されていることを特徴とする。
【００２１】
これによれば、フレキシブルプリント基板が閉じた状態において、当該フレキシブルプリント基板を開く方向に駆動歯車部材が電動機により駆動されて回転すると、両側被動歯車部材の各歯車が、各対応突起とともに、駆動歯車部材とは逆方向に回転し、両側長手状リンク部材が、両連結片とともに、各対応突起により引っ張られて前板部の案内溝部に沿い互いに離れる方向に移動して、フレキシブルプリント基板を開く。
【００２２】
このような状態において、駆動歯車部材が電動機により駆動されてさらに同一方向に回転すると、両側被動歯車部材の各歯車が、各対応突起とともに、駆動歯車部材とは逆方向にさらに回転し、両側長手状リンク部材が、両連結片とともに、各対応突起により互いに近づく方向に押動され、前板部の案内溝部に沿い互いに近づく方向に移動して、フレキシブルプリント基板を閉じる。このことは、電飾盤が、フレキシブルプリント基板の両側延出端部の往復動にて、開閉することを意味する。
【００２３】
このため、電飾盤が、遊技者にとって、あたかも、フレキシブルプリント基板の両側可動板部にて開いたり閉じたりするように見える。その結果、請求項２に記載の発明と同様の作用効果が達成され得る。
【００２４】
また、本発明は、請求項４の記載によれば、請求項２に記載のパチンコ遊技機のための可動演出装置において、
上記湾曲状案内板の上記前板部は、上記帯状案内溝部を下側帯状案内溝部として、この下側帯状案内溝部（３５２ａ）に加えて、当該下側帯状案内溝部の上側にてこの下側帯状案内溝部に平行に中側帯状案内溝部（３５２ｂ）及び上側帯状案内溝部（３５２ｃ）を設けてなり、
上記駆動手段は、
上記支持板にその裏側から組み付けられて当該支持板に回転自在に挿通してなる回転軸（３８２）を有する電動機（３８０）と、
上記支持板と上記湾曲状案内板の上記前板部との間にて上記電動機の上記回転軸に同軸的に支持される回転板（３７１）と、この回転板の回転中心（３７１ｂ）からその一回転半径方向に沿い外方へ互いに間隔をおいて位置するように前方に向けて突出される両一側押動突起（３７２ｂ、３７２ａ）と、上記回転板の上記回転中心から上記一回転半径方向とは逆向きの他回転半径方向に沿い上記両一側押動突起の各々とそれぞれ各同一円周上に位置するように前方に向けて突出される両他側押動突起（３７２ｃ、３７２ｄ）とを有する回転体（３７０）と、
一側板状カム（３６１）と、この一側板状カムをその板面にて上記湾曲状案内板の上記前板部側から上記回転板に沿わせるように上記一側板状カムから上記両側連結片の一方の延出方向には互いに間隔をおいて上記回転体の上記両一側押動突起の各軸には平行になってそれぞれ上記前板部に向け突出して当該前板部の下側、中側及び上側の３つの帯状案内溝部のうち互いに隣り合う両帯状案内溝部（３５２ａ、３５２ｂ）の各々を変位可能に通り上記両側連結片の上記一方の延出端部に連結される両一側連結突起（３６２ａ、３６２ｂ）とを設けてなる一側カム部材（３６０ａ）と、
他側板状カム（３６１）と、この他側板状カムをその板面にて上記湾曲状案内板の上記前板部側から上記回転板に沿わせるように上記他側板状カムから上記両側連結片の他方の延出方向には互いに間隔をおいて上記回転体の上記両他側押動突起の各軸には平行になってそれぞれ上記前板部に向け突出して当該前板部の下側、中側及び上側の３つの帯状案内溝部のうち互いに隣り合う他の両帯状案内溝部（３５２ｂ、３５２ｃ）の各々を変位可能に通り上記両側連結片の上記他方の延出端部に連結される両他側連結突起（３６２ｃ、３６２ｄ）とを設けてなる他側カム部材（３６０ｂ）とを備えて、
上記一側及び他側の各カム部材は、それぞれ、上記回転体の一方向への回転に応じて、上記両一側押動突起のうち上記回転板の上記回転中心に近い一側押動突起（３７２ｂ）及び上記両他側押動突起のうち上記回転板の上記回転中心に近い他側押動突起（３７２ｃ）により、上記一側及び他側の各板状カムにて、上記回転板の上記回転中心側から上記回転板に沿い互いに離れる方向へ押動され、また、上記回転体の上記一方向へのさらなる回転に応じて、上記両一側押動突起のうちの残りの一側押動突起及び上記両他側押動突起のうちの残りの他側押動突起により、上記一側及び他側の各板状カムにて、上記回転板の外周側から上記回転板に沿い互いに近づく方向へ押動されるようになっていることを特徴とする。
【００２５】
これにより、回転体が、フレキシブルプリント基板を開く方向に電動機により駆動されて回転すると、両側板状カムは、両一側押動突起のうちの内側押動突起及び両他側押動突起のうちの内側押動突起により互いに離れる方向に押動されて、両側連結片を介し、フレキシブルプリント基板をその両側可動板部にて開く。
【００２６】
このような状態において、回転体が電動機により駆動されてさらに同一方向に回転すると、両側板状カムは、両一側押動突起のうちの外側押動突起及び両他側押動突起のうちの外側押動突起により互いに近づく方向に押動されて、両側連結片を介し、フレキシブルプリント基板をその両側可動板部にて閉じる。このことは、電飾盤が、フレキシブルプリント基板の両側延出端部の往復動にて、開閉することを意味する。
【００２７】
このため、電飾盤が、遊技者にとって、あたかも、フレキシブルプリント基板の両側可動板部にて開いたり閉じたりするように見える。その結果、請求項２に記載の発明と同様の作用効果が達成され得る。
【００２８】
なお、上記各手段の括弧内の符号は、後述する実施形態に記載の具体的手段との対応関係を示す。
【図面の簡単な説明】
【００２９】
【図１】本発明に係るパチンコ遊技機の第１実施形態を示す正面図である。
【図２】図１のパチンコ遊技機の遊技盤を示す正面図である。
【図３】図２の遊技盤に組み込まれた可動演出装置において、電飾盤と歯車機構との間の組み付け構成をフレキシブルプリント基板が閉じた状態で示す斜視図である。
【図４】図３の可動演出装置において、電飾盤と歯車機構との間の組み付け構成をフレキシブルプリント基板が閉じた状態で示す正面図である。
【図５】図３の可動演出装置において、電飾盤と歯車機構との間の組み付け構成をフレキシブルプリント基板が開放途中の状態で示す斜視図である。
【図６】図３の可動演出装置において、電飾盤と歯車機構との間の組み付け構成をフレキシブルプリント基板が開放途中の状態で示す正面図である。
【図７】図３の可動演出装置において、電飾盤と歯車機構との間の組み付け構成をフレキシブルプリント基板が開いた状態で示す斜視図である。
【図８】図３の可動演出装置において、電飾盤と歯車機構との間の組み付け構成をフレキシブルプリント基板が開いた状態で示す正面図である。
【図９】図３の可動演出装置を示す分解斜視図である。
【図１０】図３の可動演出装置のフレキシブルプリント基板を湾曲させた状態で示す斜視図である。
【図１１】図３の可動演出装置のフレキシブルプリント基板と支持片との部分分解斜視図である。
【図１２】図１０のフレキシブルプリント基板の表面（湾曲時の内面側）の部分破断説明図である。
【図１３】図１０のフレキシブルプリント基板の裏面（湾曲時の外面側）の部分破断説明図である。
【図１４】（ａ）〜（ｃ）は、図３の可動演出装置において、３つの歯車部材と２つの連結部材との位置関係を歯車部材の回転に伴って示す正面図である。
【図１５】本発明に係る第２実施形態の可動演出装置において、電飾盤とカム機構との間の組み付け構成をフレキシブルプリント基板が閉じた状態で示す斜視図である。
【図１６】図１５の可動演出装置において、電飾盤とカム機構との間の組み付け構成をフレキシブルプリント基板が閉じた状態で示す正面図である。
【図１７】図１５の可動演出装置において、電飾盤とカム機構との間の組み付け構成をフレキシブルプリント基板が開いた状態で示す斜視図である。
【図１８】図１５の可動演出装置において、電飾盤とカム機構との間の組み付け構成をフレキシブルプリント基板が開いた状態で示す正面図である。
【図１９】図１５の可動演出装置を示す分解斜視図である。
【図２０】図１５の可動演出装置のフレキシブルプリント基板と支持片との部分分解斜視図である。
【図２１】（ａ）〜（ｃ）は、図１５の可動演出装置において、回転板の円柱状突起と左右両板状カムとの位置関係を回転板の回転に伴って示す正面図である。
【発明を実施するための形態】
【００３０】
以下、本発明の各実施形態について図面を参照して説明する。
（第１実施形態）
図１は、本発明が適用されるパチンコ遊技機の第１実施形態を示している。当該パチンコ遊技機は、パチンコホール内の島に立設されるもので、このパチンコ遊技機は、機枠（図示しない）と、この機枠に対し前後方向に開閉可能に支持される遊技機本体Ｂ及び前扉ＦＤとにより構成されている。なお、上記パチンコ遊技機は、いわゆるデジパチ型のパチンコ遊技機である。
【００３１】
遊技機本体Ｂは、図２にて示すごとく、遊技盤Ｂａを備えており、この遊技盤Ｂａは、遊技機本体Ｂの枠体（図示しない）に嵌装されている。なお、遊技機本体Ｂは、上記枠体にて、上記機枠に対し前後方向に開閉可能に支持されている。
【００３２】
当該遊技盤Ｂａは、遊技板１０と、ガイドレール２０、環状センター構造物３０及び遊技釘群４０とを備えている。ガイドレール２０は、遊技板１０の前面１１（以下、遊技盤Ｂａの盤面１１ともいう）に沿い配設されており、このガイドレール２０は、その内周側において、遊技板１０の前面１１上に遊技領域１２を形成する。
【００３３】
しかして、ガイドレール２０は、ハンドルＨ（図１参照）の回動操作により、球発射装置（図示しない）から発射される遊技球を案内して、遊技領域１２内に転動させる。なお、上記球発射装置は、遊技機本体Ｂの上記枠体の右下部に配設されている。また、ハンドルＨは、上記球発射装置の一構成部品として遊技機本体Ｂの上記枠体の右下部にその前面から設けられている。
【００３４】
センター構造物３０は、図２にて示すごとく、遊技板１０の中央開口部１３（遊技盤Ｂａの中央開口部１３ともいう）の外周部に前面１１側から組み付けられている。遊技釘群４０は、多数の遊技釘４１からなるもので、これらの各遊技釘４１は、ガイドレール２０の内側において、センター構造物３０の左側から下側にかけて、遊技板１０にその前面１１側から分散して打ち込まれている。しかして、遊技釘群４０によれば、ガイドレール２０から遊技領域１２内に案内される遊技球が、遊技板１０の前面１１に沿い、各遊技釘４１との衝突を経て、下方へ転動する。
【００３５】
また、当該遊技盤Ｂａは、スタートチャッカー５０、電動チューリップ６０、スルーゲート７０、風車８０、複数の普通入賞口９０及びアタッカー１００を備えており、これらスタートチャッカー５０、電動チューリップ６０、スルーゲート７０、風車８０、各普通入賞口９０及びアタッカー１００は、図２にて示す各位置にて、遊技板１０の前面１１に遊技領域１２内にて組み付けられている。
【００３６】
スタートチャッカー５０は、センター構造物３０の下縁中央部の直下に位置しており、このスタートチャッカー５０は、その始動入賞口への遊技球の入賞に基づき、大当たり抽選（大当たりか否かの抽選）の機会を提供するとともに、所定数の賞球を払い出す契機を提供する。
【００３７】
電動チューリップ６０は、普通電動役物としての役割を果たすべく、スタートチャッカー５０の直下に位置しており、この電動チューリップ６０は、その始動入賞口への遊技球の入賞を、両羽根部材の閉鎖状態にて、規制する。また、当該電動チューリップ６０は、その始動入賞口への遊技球の入賞を、上記両羽根部材の開放状態にて容易にして、当該入賞に基づき所定数の賞球の払い出しの契機を与えるとともに、スタートチャッカー５０と同様に大当たり抽選の機会を提供する。
【００３８】
スルーゲート７０は、図２にて示すごとく、センター構造物３０の左縁中央部の左側に位置しており、このスルーゲート７０は、その直上から遊技板１０の前面１１に沿い下方へ転動する遊技球に対し通過する機会を与える。これにより、当該スルーゲート７０は、その遊技球の通過に基づき、普通図柄の抽選の契機を提供する。
【００３９】
風車８０は、スルーゲート７０の下方に位置しており、この風車８０は、遊技板１０の前面１１に沿いスルーゲート７０或いはその周囲から下方へ転動する遊技球により衝突されたとき、回転しつつ当該遊技球を下方へ転動させる。複数の普通入賞口９０は、それぞれ、その遊技球の入賞に伴い、所定数の賞球を払い出す契機を与える。
【００４０】
アタッカー１００は、図２にて示すごとく、電動チューリップ６０の直下に位置しており、このアタッカー１００は、その大入賞口の開放により、当該大入賞口への遊技球の入賞の機会を与える。
【００４１】
また、当該遊技盤Ｂａは、図２にて示すごとく、演出画像表示装置１１０及び可動演出装置２００を備えている。演出画像表示装置１１０は、表示パネル１１１を具備しており、この表示パネル１１１は、遊技板１０にその裏面側から中央開口部１３を臨むように設けられている。
【００４２】
可動演出装置２００は、図２にて示すごとく、遊技盤Ｂａの中央開口部１３の外周部のうち中央上部に形成した図示しない補助穴部（センター構造物３０の中央上部に形成された開口部３１に対応する）にその裏面側から嵌装されており、当該可動演出装置２００は、図３及び図４にて示すごとく、支持体Ｓと、この支持体Ｓにより支持される電飾盤２１０及び駆動機構ＤＲとによって構成されている。
【００４３】
電飾盤２１０は、センター構造物３０の開口部３１を通して前方を臨むように、支持体Ｓにより後述のごとく支持されている。
【００４４】
ここで、支持体Ｓは、支持板２４０と、コ字状案内部材２５０とを備えており、支持板２４０は、その上側板部にて、センター構造物３０の開口部３１に対応するように、遊技盤Ｂａの上記補助穴部にその裏面側から取り付けられている。なお、当該支持板２４０は、その下側板部にて、センター構造物３０の開口部３１の裏面側にてその下方へ延出している。
【００４５】
コ字状案内部材２５０は、左右両側Ｌ字状脚部２５１及び前板部２５２でもってコ字状に形成されており、当該コ字状案内部材２５０は、左右両側Ｌ字状脚部２５１の各装着部２５１ａにて、支持板２４０の下側板部にその前側から装着されている。なお、左右両側Ｌ字状脚部２５１は、それぞれ、各装着部２５１ａを形成するように、逆方向にＬ字状に屈曲して構成されている。
【００４６】
前板部２５２は、下側及び上側の両案内溝部２５２ａ、２５２ｂを有しており、当該両案内溝部２５２ａ、２５２ｂは、前板部２５２の左右方向に沿い上下方向に互いに間隔をおいて平行に形成されている。
【００４７】
上述の電飾盤２１０は、単一のフレキシブルプリント基板２１１と、６つの発光ダイオード２２１〜２２６と、左右両側帯状連結片２３１、２３２とを備えている。なお、以下、発光ダイオードは、ＬＥＤともいう。
【００４８】
フレキシブルプリント基板２１１は、矩形長手状の柔軟性配線板からなるもので、このフレキシブルプリント基板２１１は、基板部２１１ａと、この基板部２１１ａから延出する左右両側可動板部２１１ｂとでもって一体的に形成されている。
【００４９】
このフレキシブルプリント基板２１１は、図３にて示すごとく、基板部２１１ａにて、支持板２４０の上側板部に沿いその前面側から固着されている。また、フレキシブルプリント基板２１１の左右両側可動板部２１１ｂは、左右方向に互いに逆向きに外方へ凸な湾曲形状となるように、基板部２１１ａの左右両側端部から前方側へ折り曲げられて延出しており、当該左右両側可動板部２１１ｂは、その各延出端部２１１ｃにて、互いに対向している（図３参照）。
【００５０】
ここで、当該左右両側可動板部２１１ｂの両延出端部２１１ｃは、それぞれ、図１０にて示すように、互いに櫛歯状に切り欠き形成されている。即ち、左側可動板部２１１ｂの延出端部２１１ｃは、３つの櫛歯部２１１ｄ、２１１ｅ及び２１１ｆを有するように櫛歯状に切り欠き形成されており、右側可動板部２１１ｂの延出端部２１１ｃは、３つの櫛歯部２１１ｇ、２１１ｈ及び２１１ｉを有するように櫛歯状に切り欠き形成されている。これにより、左右両側可動板部２１１ｂの両延出端部２１１ｃの接合時に、左側可動板部２１１ｂは、その各櫛歯部２１１ｄ、２１１ｅ及び２１１ｆにて、右側可動板部２１１ｂの延出端部２１１ｃの各櫛歯部２１１ｇ、２１１ｈ及び２１１ｉに対し櫛歯状に噛合するようになっている（図３及び図４参照）。
【００５１】
一方、上述したフレキシブルプリント基板２１１は、柔軟性電気絶縁層２１２と、６つの柔軟性正側配線２１３〜２１８及び一本の柔軟性負側配線２１９を内包するように構成されている（図１２及び図１３参照）。
【００５２】
電気絶縁層２１２は、フレキシブルプリント基板２１１の基板部２１１ａ及び可動板部２１１ｂに対応する絶縁層本体２１２ａと、フレキシブルプリント基板２１１の各櫛歯部２１１ｄ〜２１１ｉにそれぞれ対応する各櫛歯状絶縁部２１２ｄ〜２１２ｉとを、図１２或いは図１３にて示す形状となるように、ポリイミド等の電気絶縁材料でもって１２（μｍ）〜５０（μｍ）の範囲以内の厚さにて薄膜状にかつ一体的に形成されている。
【００５３】
６つの正側配線２１３〜２１８は、柔軟性銅箔でもって、図１２にて示すごとく、電気絶縁層２１２の表面（湾曲時の内面側）に沿い、それぞれ、略Ｌ字状に形成されている。６つの正側配線２１３〜２１８のうち、正側配線２１３は、ＬＥＤ２２１（後述する）のための３本の信号配線部２１３ａ〜２１３ｃでもって構成されており、これら各信号配線部２１３ａ〜２１３ｃは、図１２にて示すごとく、電気絶縁層２１２の表面に沿いその絶縁層本体２１２ａの中央上部右側位置から電気絶縁層２１２の幅方向上部を右側方向の櫛歯状絶縁部２１２ｄに向けて互いに並行に延出するように形成されている。
【００５４】
また、正側配線２１４は、ＬＥＤ２２２（後述する）のための３本の信号配線部２１４ａ〜２１４ｃでもって構成されており、これら各信号配線部２１４ａ〜２１４ｃは、図１２にて示すごとく、電気絶縁層２１２の表面に沿いその絶縁層本体２１２ａの中央上部右側位置から下方に向けて延出し、さらに電気絶縁層２１２の表面に沿い右下方向に延出し、その後、電気絶縁層２１２の幅方向中央部を右側方向の櫛歯状絶縁部２１２ｅに向けて互いに並行に延出するように形成されている。
【００５５】
また、正側配線２１５は、ＬＥＤ２２３（後述する）のための３本の信号配線部２１５ａ〜２１５ｃでもって構成されており、これら各信号配線部２１５ａ〜２１５ｃは、図１２にて示すごとく、電気絶縁層２１２の表面に沿いその絶縁層本体２１２ａの中央上部右側位置から下方に向けて延出し、さらに電気絶縁層２１２の表面に沿い右下方向に延出し、その後、電気絶縁層２１２の幅方向下部を右側方向の櫛歯状絶縁部２１２ｆに向けて互いに並行に延出するように形成されている。
【００５６】
また、正側配線２１６は、ＬＥＤ２２４（後述する）のための３本の信号配線部２１６ａ〜２１６ｃでもって構成されており、これら各信号配線部２１６ａ〜２１６ｃは、図１２にて示すごとく、電気絶縁層２１２の表面に沿いその絶縁層本体２１２ａの中央上部左側位置から左側方向に櫛歯状絶縁部２１２ｇに向けて互いに並行に延出するように形成されている。
【００５７】
また、正側配線２１７は、ＬＥＤ２２５（後述する）のための３本の信号配線部２１７ａ〜２１７ｃでもって構成されており、これら各信号配線部２１７ａ〜２１７ｃは、図１２にて示すごとく、電気絶縁層２１２の表面に沿いその絶縁層本体２１２ａの中央上部左側位置から下方に向けて延出し、さらに電気絶縁層２１２の表面に沿い左下方向に延出し、その後、電気絶縁層２１２の幅方向中央部を左側方向の櫛歯状絶縁部２１２ｈに向けて互いに並行に延出するように形成されている。
【００５８】
また、正側配線２１８は、ＬＥＤ２２６（後述する）のための３本の信号配線部２１８ａ〜２１８ｃでもって構成されており、これら各信号配線部２１８ａ〜２１８ｃは、図１２にて示すごとく、電気絶縁層２１２の表面に沿いその絶縁層本体２１２ａの中央上部左側位置から下方に向けて延出し、さらに電気絶縁層２１２の表面に沿い左下方向に延出し、その後、電気絶縁層２１２の幅方向下部を左側方向の櫛歯状絶縁部２１２ｉに向けて互いに並行に延出するように形成されている。
【００５９】
本第１実施形態では、各正側配線２１３〜２１８の厚さは、従来と同様に、例えば、０．２（ｍｍ）となっているが、各信号配線部２１３ａ〜２１３ｃ、２１４ａ〜２１４ｃ、２１５ａ〜２１５ｃ、２１６ａ〜２１６ｃ、２１７ａ〜２１７ｃ及び２１８ａ〜２１８ｃの幅は、従来の信号配線部の幅（例えば、０．５（ｍｍ））よりも広く、例えば、３倍の広さ（１．５（ｍｍ））に設定されている。
【００６０】
１本の負側配線２１９は、正側配線２１３〜２１８の全てに対応する１本の負側配線部２１９ａを図１３にて示す形状にて、電気絶縁層２１２の裏面（湾曲時の外面側）に沿いその絶縁層本体２１２ａの中央上部位置から電気絶縁層２１２の幅方向全体に亘って左右両側の各櫛歯状絶縁部２１２ｄ〜２１２ｉに向けて、長手状の柔軟性銅箔でもって一体的に形成されている。本第１実施形態では、負側配線２１９の厚さは、従来と同様に、例えば、０．２（ｍｍ）となっている。
【００６１】
なお、電気絶縁層２１２は、その表面（湾曲時の内面側）にて、各正側配線２１３〜２１８を介し、不透明の絶縁被覆膜部ｍにより被覆されており、電気絶縁層２１２の裏面（湾曲時の外面側）は、負側配線２１９を介し、不透明の絶縁被覆膜部ｎによって被覆されている（図１２及び図１３参照）。これにより、電気絶縁層２１２、各正側配線２１３〜２１８及び負側配線２１９が、フレキシブルプリント基板２１１に内包されている。
【００６２】
６つのＬＥＤ２２１〜２２６は、それぞれ、電飾作動素子としての役割を果たすもので、これらＬＥＤ２２１〜２２６のうち、３つのＬＥＤ２２１、２２２及び２２３は、それぞれ、図９及び図１０にて例示するごとく、フレキシブルプリント基板２１１の左側可動板部２１１ｂの各櫛歯部２１１ｄ、２１１ｅ及び２１１ｆにその各外面側（遊技盤の前面側）から装着されている。また、残りの３つのＬＥＤ２２４、２２５及び２２６は、それぞれ、図９及び図１０にて例示するごとく、フレキシブルプリント基板２１１の右側可動板部２１１ｂの各櫛歯部２１１ｇ、２１１ｈ及び２１１ｉにその各外面側（遊技盤の前面側）から装着されている。本実施形態では、各ＬＥＤ２２１〜２２６は、それぞれ、赤色（Ｒ）、緑色（Ｇ）及び青色（Ｂ）の各発光部（以下、発光部Ｒ、発光部Ｇ及び発光部Ｂともいう）を各電飾作動部として有するＬＥＤでもって構成されている。
【００６３】
６つのＬＥＤ２２１〜２２６のうち、ＬＥＤ２２１は、フレキシブルプリント基板２１１の櫛歯部２１１ｄに対する対応部位に被覆膜部ｍ側から図１０にて示すごとく左側端部の上部に位置するように搭載されている（図１２参照）。
【００６４】
ここで、ＬＥＤ２２１は、発光部Ｒ、発光部Ｇ及び発光部Ｂの各正側端子にて、正側配線２１３の各信号配線部２１３ａ〜２１３ｃに被覆膜部ｍの対応部位を通し半田接続されており、ＬＥＤ２２１の発光部Ｒ、発光部Ｇ及び発光部Ｂの各負側端子は、負側配線２１９の負側配線部２１９ａの対応部位を通し半田接続されている。
【００６５】
これにより、ＬＥＤ２１１は、発光部Ｒ、発光部Ｇ或いは発光部Ｂにて、発光駆動回路（図示しない）から正側配線２１３と負側配線２１９を介し信号電圧を印加されて、赤色、緑色、青色或いは白色などフルカラーにて発光する。
【００６６】
ＬＥＤ２２２は、フレキシブルプリント基板２１１の櫛歯部２１１ｅに対する対応部位に被覆膜部ｍ側から図１０にて示すごとく左側端部の上部に位置するように搭載されている（図１２参照）。
【００６７】
ここで、ＬＥＤ２２２は、発光部Ｒ、発光部Ｇ及び発光部Ｂの各正側端子にて、正側配線２１４の各信号配線部２１４ａ〜２１４ｃに被覆膜部ｍの対応部位を通し半田接続されており、ＬＥＤ２２２の発光部Ｒ、発光部Ｇ及び発光部Ｂの各負側端子は、負側配線２１９の負側配線部２１９ａの対応部位を通し半田接続されている。
【００６８】
これにより、ＬＥＤ２１１は、発光部Ｒ、発光部Ｇ或いは発光部Ｂにて、発光駆動回路（図示しない）から正側配線２１４と負側配線２１９を介し信号電圧を印加されて、赤色、緑色、青色或いは白色などフルカラーにて発光する。
【００６９】
ＬＥＤ２２３は、フレキシブルプリント基板２１１の櫛歯部２１１ｃに対する対応部位に被覆膜部ｍ側から図１０にて示すごとく左側端部の上部に位置するように搭載されている（図１２参照）。
【００７０】
ここで、ＬＥＤ２２３は、発光部Ｒ、発光部Ｇ及び発光部Ｂの各正側端子にて、正側配線２１５の各信号配線部２１５ａ〜２１５ｃに被覆膜部ｍの対応部位を通し半田接続されており、ＬＥＤ２２３の発光部Ｒ、発光部Ｇ及び発光部Ｂの各負側端子は、負側配線２１９の負側配線部２１９ａの対応部位を通し半田接続されている。
【００７１】
これにより、ＬＥＤ２１３は、発光部Ｒ、発光部Ｇ或いは発光部Ｂにて、発光駆動回路（図示しない）から正側配線２１５と負側配線２１９を介し信号電圧を印加されて、赤色、緑色、青色或いは白色などフルカラーにて発光する。
【００７２】
ＬＥＤ２２４は、フレキシブルプリント基板２１１の櫛歯部２１１ｇに対する対応部位に被覆膜部ｍ側から図１０にて示すごとく左側端部の上部に位置するように搭載されている（図１２参照）。
【００７３】
ここで、ＬＥＤ２２４は、発光部Ｒ、発光部Ｇ及び発光部Ｂの各正側端子にて、正側配線２１６の各信号配線部２１６ａ〜２１６ｃに被覆膜部ｍの対応部位を通し半田接続されており、ＬＥＤ２２４の各々の発光部Ｒ、発光部Ｇ及び発光部Ｂの各負側端子は、負側配線２１９の負側配線部２１９ａの対応部位を通し半田接続されている。
【００７４】
これにより、ＬＥＤ２１４は、発光部Ｒ、発光部Ｇ或いは発光部Ｂにて、発光駆動回路（図示しない）から正側配線２１６と負側配線２１９を介し信号電圧を印加されて、赤色、緑色、青色或いは白色などフルカラーにて発光する。
【００７５】
ＬＥＤ２２５は、フレキシブルプリント基板２１１の櫛歯部２１１ｈに対する対応部位に被覆膜部ｍ側から図１０にて示すごとく左側端部の上部に位置するように搭載されている（図１２参照）。
【００７６】
ここで、ＬＥＤ２２５は、発光部Ｒ、発光部Ｇ及び発光部Ｂの各正側端子にて、正側配線２１７の各信号配線部２１７ａ〜２１７ｃに被覆膜部ｍの対応部位を通し半田接続されており、ＬＥＤ２２５の各々の発光部Ｒ、発光部Ｇ及び発光部Ｂの各負側端子は、負側配線２１９の負側配線部２１９ａの対応部位を通し半田接続されている。
【００７７】
これにより、ＬＥＤ２１５は、発光部Ｒ、発光部Ｇ或いは発光部Ｂにて、発光駆動回路（図示しない）から正側配線２１７と負側配線２１９を介し信号電圧を印加されて、赤色、緑色、青色或いは白色などフルカラーにて発光する。
【００７８】
ＬＥＤ２２６は、フレキシブルプリント基板２１１の櫛歯部２１１ｉに対する対応部位に被覆膜部ｍ側から図１０にて示すごとく左側端部の上部に位置するように搭載されている（図１２参照）。
【００７９】
ここで、ＬＥＤ２２６は、発光部Ｒ、発光部Ｇ及び発光部Ｂの各正側端子にて、正側配線２１８の各信号配線部２１８ａ〜２１８ｃに被覆膜部ｍの対応部位を通し半田接続されており、ＬＥＤ２２６の各々の発光部Ｒ、発光部Ｇ及び発光部Ｂの各負側端子は、負側配線２１９の負側配線部２１９ａの対応部位を通し半田接続されている。
【００８０】
これにより、ＬＥＤ２１６は、発光部Ｒ、発光部Ｇ或いは発光部Ｂにて、発光駆動回路（図示しない）から正側配線２１８と負側配線２１９を介し信号電圧を印加されて、赤色、緑色、青色或いは白色などフルカラーにて発光する。本第１実施形態では、６つのＬＥＤ２２１〜２２６がそれぞれ独立的に発光するように上記発光駆動回路により駆動される。
【００８１】
左右両側帯状連結片２３１、２３２のうち、左側帯状連結片２３１は、図９及び図１１から分かるように、左側可動板部２１１ｂの延出端部２１１ｃの内面に櫛歯部２１１ｄの基端部〜櫛歯部２１１ｆの基端部に沿うように固着されて、左側延出端部２１１ｃからコ字状案内部材２５０の前板部２５２の前面に沿い両案内溝部２５２ａ、２５２ｂの各溝幅方向に向け下方へ延出している。
【００８２】
ここで、左側延出端部２１１ｃの下方への延出部位は、ピン２３７を介し、前板部２５２の上側案内溝部２５２ｂの左側部位に挿通されている。なお、ピン２３７は、左側延出端部２１１ｃの下方への延出部位の上下方向中間部位から突出し、上側案内溝部２５２ｂに摺動可能に挿通されて、ストップリング２３８ａにより抜け止めされている。
【００８３】
一方、右側帯状連結片２３２は、図９及び図１１から分かるように、右側可動板部２１１ｂの延出端部２１１ｃの内面に櫛歯部２１１ｇの基端部〜櫛歯部２１１ｉの基端部に沿うように固着されて、右側延出端部２１１ｃからコ字状案内部材２５０の前板部２５２の前面に沿い両案内溝部２５２ａ、２５２ｂの各溝幅方向に向け下方へ延出している。
【００８４】
ここで、右側延出端部２１１ｃの下方への延出部位は、ピン２３８を介し、前板部２５２の上側案内溝部２５２ｂの右側部位に摺動可能に挿通されている。なお、ピン２３８は、右側延出端部２１１ｃの下方への延出部位の上下方向中間部位から突出し、上側案内溝部２５２ｂに摺動可能に挿通されて、ストップリング２３８ａにより抜け止めされている。
【００８５】
駆動機構ＤＲは、図９にて示すごとく、歯車列２７０と、左右両側リンク部材１６０ａ、２６０ｂと、電動機２８０とを備えている。歯車列２７０は、図３〜図８或いは図９にて示すごとく、駆動歯車部材２７０ｃ及び左右両側被動歯車部材２７０ａ、２７０ｂを有しており、駆動歯車部材２７０ｃは、平歯車により構成されて、支持板２４０とコ字状案内部材２５０との間にて、支持板２４０の左右方向中央下側部位（電飾盤２１０の下方部位）を介し電動機２８０に後述のごとく同軸的に支持されている。
【００８６】
左右両側被動歯車部材２７０ａ、２７０ｂは、それぞれ、支持板２４０とコ字状案内部材２５０との間にて、駆動歯車部材２７０ｃの左右両側に位置するように配列されており、左側被動歯車部材２７０ａは、平歯車２７１ａと、この平歯車２７１ａの外周部からコ字状部材２５０に向け突出する円柱状突起２７２ａとにより構成されている（図９参照）。なお、円柱状突起２７２ａは、平歯車２７１ａの軸に平行に突出している。
【００８７】
しかして、当該左側被動歯車部材２７０ａは、平歯車２７１ａにて駆動歯車部材２７０ｃにその左側から噛合するように、支持軸２４２を介し、支持板２４０の左側部に回動自在に支持されている。なお、支持軸２４２は、支持板２４０の左側部に形成した貫通孔部２４１に回動自在に嵌装支持されている。
【００８８】
右側被動歯車部材２７０ｂは、平歯車２７１ｂと、この平歯車２７１ｂの外周部からコ字状部材２５０に向け突出する円柱状突起２７２ｂとにより構成されている（図９参照）。なお、円柱状突起２７２ｂは、平歯車２７１ｂの軸に平行に突出している。
【００８９】
しかして、当該右側被動歯車部材２７０ｂは、平歯車２７１ｂにて駆動歯車部材２７０ｃにその右側から噛合するように、支持軸２４４を介し、支持板２４０の右側部に回動自在に支持されている。なお、支持軸２４４は、支持板２４０の右側部に形成した貫通孔部２４３に回動自在に嵌装支持されている。
【００９０】
左右両側リンク部材２６０ａ、２６０ｂのうち、左側リンク部材２６０ａは、その基端部２６１ａにて、左側被動歯車部材２７０ａの突起２７２ａの先端部に同軸的にかつ相対回動可能に支持されており、この左側リンク部材２６０ａは、その基端部２６１ａから平歯車２７１ａの軸に直交するように延出されている。しかして、当該左側リンク部材２６０ａは、その延出端部２６２ａにて、ピン２３３及びコ字状板部材２５０の案内溝部２５２ｂを介し、電飾盤２１０の左側帯状連結片２３１の延出下端部に相対回動可能に同軸的に支持されている。なお、ピン２３３は、その基端部にて、左側帯状連結片２３１の延出下端部に形成した貫通孔部２３４にネジ２３４ａでもって締着されており、当該ピン２３３は、その基端部から後方へ延出して案内溝部２５２ａの左側部位を変位可能に通り、左側リンク部材２６０ａの延出端部２６２ａに嵌着されてこれを支持している。なお、ピン２３３は、その延出端部にて、両ストップリング２３３ａ、２３３ｂにより左側リンク部材２６０ａの延出端部２６２ａに抜け止めされている。
【００９１】
一方、右側リンク部材２６０ｂは、その基端部２６１ｂにて、右側被動歯車部材２７０ａの突起２７２ｂの先端部に同軸的にかつ相対回動可能に支持されており、この右側リンク部材２６０ｂは、その基端部２６１ｂから平歯車２７１ｂの軸に直交するように延出されている。しかして、当該右側リンク部材２６０ｂは、その延出端部２６２ｂにて、ピン２３５及びコ字状板部材２５０の案内溝部２５２ａを介し、電飾盤２１０の右側帯状連結片２３２の延出下端部に相対回動可能に同軸的に支持されている。なお、ピン２３５は、その基端部にて、右側帯状連結片２３２の延出下端部に形成した貫通孔部２３６にネジ２３６ａでもって締着されており、当該ピン２３５は、その基端部から後方へ延出して案内溝部２５２ａの右側部位を変位可能に通り、右側リンク部材２６０ｂの延出端部２６２ｂに嵌着されてこれを支持している。なお、ピン２３５は、その延出端部にて、両ストップリング２３５ａ、２３５ｂにより右側リンク部材２６０ｂの延出端部２６２ｂに抜け止めされている。
【００９２】
電動機２８０は、ステップモータ（以下、ステップモータ２８０ともいう）からなるもので、このステップモータ２８０は、モータ本体２８１にて、支持板２４０の左右中央下側部位にその裏面側から組み付けられている。ここで、当該ステップモータ２８０は、その回転軸２８２（上述した電動機２８０の回転軸２８２）にて、支持板２４０左右中央下側部位に形成した開口部２４５に回転自在に同軸的に挿通されて、駆動歯車部材１７０ｃを同軸的に支持している。
【００９３】
本第１実施形態では、左右両側被動歯車部材２７０ａ、２７０ｂの各平歯車及び駆動歯車部材２７０ｃは、いずれも、同一の直径を有しており、図９にて示すごとく、左側被動歯車部材２７０ａの突起２７２ａが平歯車２７１ａの左端部に位置するときには、右側被動歯車部材２７０ｂの突起２７２ｂが、平歯車２７１ｂの右端部に位置するように、左右両側被動歯車部材２７０ａ、２７０ｂの各平歯車は、駆動歯車部材２７０ｃと噛合するように設定されている。
【００９４】
以上のように構成した本第１実施形態において、可動演出装置２００では、電飾盤２１０のフレキシブルプリント基板２１１が、図３及び図４にて示すごとく、左側可動板部２１１ｂの各櫛歯部２１１ｄ、２１１ｅ及び２１１ｆにて、右側可動板部２１１ｂの各櫛歯部２１１ｇ、２１１ｈ及び２１１ｉと櫛歯状に噛合している。このことは、電飾盤２１０が、フレキシブルプリント基板２１１によりその左右両側可動板部２１１ｂにて閉じていることを意味する。
【００９５】
このような状態において、左右両側連結片２３１、２３２、歯車列２７０及び左右両側リンク部材２６０ａ、２６０ｂは、図３、図４或いは図１４（ａ）にて示す状態にある。即ち、左右両側連結片２３１、２３２は、図４にて示すごとく、互いに最も接近した位置にて左右に並んで位置している。歯車列２７０においては、左側被動歯車部材２７０ａは、図１４（ａ）にて示すごとく、その突起２７２ａを平歯車２７１ａの図示水平半径方向右端部に維持する回転位置にあり、一方、右側被動歯車部材２７０ｂは、図１４（ａ）にて示すごとく、その突起２７２ｂを平歯車２７１ｂの図示水平半径方向左端部に維持する回転位置にある。このため、左右両側リンク部材２６０ａ、２６０ｂは、各延出端部２６２ａ、２６２ｂにて、コ字状案内部材２５０の下側案内溝部２５２ａの左右方向中央部内にて互いに対向することで、上述のように左右両側連結片２３１、２３２を互いに最も接近した位置に維持している。
【００９６】
然る後、ステップモータ２８０が図９及び図１４（ａ）にて図示時計方向に回転すると、駆動歯車部材２７０ｃがステップモータ２８０と同一方向（時計方向）に回転する。これに伴い、左側被動歯車部材２７０ａの平歯車２７１ａが、駆動歯車部材２７０ｃとの噛合のもとに、この駆動歯車部材２７０ｃとは逆方向（反時計方向）に回転する。従って、左側被動歯車部材２７０ａの突起２７２ａが平歯車２７１ａと一体となって当該平歯車２７１ａの軸周りにこれと同一方向（反時計方向）に回転する。
【００９７】
このように、平歯車２７１ａが駆動歯車部材２７０ｃとは逆方向（反時計方向）に回転すると、左側リンク部材２６０ａが、その基端部２６１ａにて、突起２７２ａにより引っ張られてこの突起２７２ａと共に平歯車２７１ａの外周部に沿い反時計方向に移動する。このような移動過程において、平歯車２７１ａが図１４（ａ）の回転位置から反時計方向に９０°回転すると、左側リンク部材２６０ａの基端部２６１ａは、図１４（ｂ）にて示す位置（平歯車２７１ａの図示上方への半径方向上端部に対応する位置）に移動する。これに伴い、左側帯状連結片２３１が、左側リンク部材２６０ａにより引っ張られてコ字状案内部材２５０の下側案内溝部２５２ａに沿いその左右方向中央部から左方に移動する。
【００９８】
また、上述のように駆動歯車部材２７０ｃが図９及び図１４（ａ）にて図示時計方向に回転すると、右側被動歯車部材２７０ｂの平歯車２７１ｂが、駆動歯車部材２７０ｃとの噛合のもとに、左側被動歯車部材２７０ａと同一方向（反時計方向）に回転する。従って、右側被動歯車部材２７０ｂの突起２７２ｂが、平歯車２７１ｂと一体となって当該平歯車２７１ｂの軸周りにこれと同一方向（反時計方向）に回転する。
【００９９】
このように、平歯車２７１ｂが左側被動歯車部材２７０ａと同一方向に回転すると、右側リンク部材２６０ｂが、その基端部２６１ｂにて、突起２７２ｂにより引っ張られてこの突起２７２ｂと共に平歯車２７１ｂの外周部に沿い反時計方向に移動する。このような移動過程において、平歯車２７１ｂが図１４（ａ）の回転位置から反時計方向に９０°回転すると、右側リンク部材２６０ｂの基端部２６１ｂは、図１４（ｂ）にて示す位置（平歯車２７１ｂの図示下方への半径方向下端部に対応する位置）に移動する。これに伴い、右側帯状連結片２３２が、コ字状案内部材２５０の下側案内溝部２５２ａに沿いその左右方向中央部から右方に移動する。
【０１００】
しかして、上述のように左側帯状連結片２３１がコ字状案内部材２５０の下側案内溝部２５２ａに沿いその左右方向中央部から左方へ移動するとともに、右側帯状連結片２３２がコ字状案内部材２５０の下側案内溝部２５２ａに沿いその左右方向中央部から右方へ移動すると、当該左右両側連結片２３１、２３２は、コ字状案内部材２５０の下側案内溝部２５２ａに沿いその左右方向中央部から左右方向において互いに離れる方向に移動することとなる。
【０１０１】
これに伴い、フレキシブルプリント基板２１１においては、左側可動板部２１１ｂの延出端部２１１ｃが、左側連結片２３１により左方へ押動されるとともに、右側可動板部２１１ｂの延出端部２１１ｃが、右側連結片２３１により右方へ押動される。このため、左右両側可動板部２１１ｂが、その各延出端部２１１ｃにて、各櫛歯部２１１ｄ、２１１ｅ及び２１１ｆの各櫛歯部２１１ｇ、２１１ｈ及び２１１ｉとの櫛歯状の噛合からの解離に応じて、互いに逆方向に移動する。このことは、電飾盤２１０が、フレキシブルプリント基板２１１の左右両側可動板部２１１ｂを開く方向に移動させることを意味する（図５及び図６参照）。
【０１０２】
然る後、駆動歯車部材２７０ｃが図１４（ｂ）にて示す回転位置からさらに図示時計方向に９０°回転すると、左右両側被動歯車部材２７０ａ、２７０ｂが、それぞれ、図１４（ｂ）にて示す各回転位置からさらに９０°回転する。このため、左側被動歯車部材２７０ａの突起２７２ａが、図１４（ｃ）にて示すごとく、平歯車２７１ａの水平半径方向左端部に対応する位置に移動するとともに、右側被動歯車部材２７０ｂの突起２７２ｂが、図１４（ｃ）にて示すごとく、平歯車２７１ｂの水平半径方向右端部に対応する位置に移動する。
【０１０３】
このように両突起２７２ａ、２７２ｂが移動すると、左側リンク部材２６０ａが、その基端部２６１ａにて、突起２７２ａにより引っ張られて図１４（ｃ）にて示す位置（平歯車２７１ａの図示水平半径方向左端部に対応する位置）に移動するとともに、右側リンク部材２６０ｂが、その基端部２６１ｂにて、突起２７２ｂにより引っ張られて図１４（ｃ）にて示す位置（平歯車２７１ｂの図示水平半径方向右端部に対応する位置）に移動する。
【０１０４】
すると、これに伴い、左側帯状連結片２３１が、コ字状案内部材２５０の下側案内溝部２５２ａに沿いさらに左方に移動するとともに、右側帯状連結片２３２が、コ字状案内部材２５０の下側案内溝部２５２ａに沿いさらに右方に移動する。このことは、左右両側連結片２３１、２３２は、コ字状案内部材２５０の下側案内溝部２５２ａに沿いさらに互いに離れる方向に移動することを意味する。
【０１０５】
このとき、左側被動歯車部材２７０ａの突起２７２ａは、右側被動歯車部材２７０ｂの突起２７２ｂから最も遠く離れた位置にあることから、左右両側帯状連結片２３１、２３２は、互いに最も遠く離れて位置する。換言すれば、フレキシブルプリント基板２１１は、その左右両側可動板部２１１ｂにて、最も大きく開いた状態にある（図７及び図８参照）。
【０１０６】
以上のように、駆動歯車部材２７０ｃが図１４（ａ）にて示す回転位置から図１４（ｃ）にて示す回転位置まで時計方向に１８０°回転すると、左側被動歯車部材２７０ａにおいて、突起２７２ａが、平歯車２７１ａの回転に応じて、図１４（ａ）にて示す位置から図１４（ｃ）にて示す位置にかけて反時計方向に上側へ１８０°回転するとともに、突起２７２ｂが、平歯車２７１ｂの回転に応じて、図１４（ａ）にて示す位置から図１４（ｃ）にて示す位置にかけて反時計方向に下側へ１８０°回転する。
【０１０７】
これに伴い、左側リンク部材２６０ａが、突起２７２ａにより引っ張られて、図１４（ａ）にて示す水平位置から図１４（ｂ）にて示す傾斜位置を経て図１４（ｃ）にて示す水平位置まで移動し、一方、右側リンク部材２６０ｂが、突起２７２ｂにより引っ張られて、図１４（ａ）にて示す水平位置から図１４（ｂ）にて示す傾斜位置を経て図１４（ｃ）にて示す水平位置まで移動する。これにより、フレキシブルプリント基板２１１は、上述のごとく、その左右両側可動板部２１１ｂにて、最も大きく開いた状態に達する。
【０１０８】
このような状態において、駆動歯車部材２７０ｃがステップモータ２８０により駆動されて図１４（ｃ）にてさらに時計方向に回転すると、左側被動歯車部材２７０ａの平歯車２７１ａが、駆動歯車部材２７０ｃとの噛合のもとに、この駆動歯車部材２７０ｃとは逆方向（反時計方向）にさらに回転する。従って、左側被動歯車部材２７０ａの突起２７２ａが平歯車２７１ａと一体となって当該平歯車２７１ａの軸周りにこれと同一方向（反時計方向）に図１４（ｃ）にて示す位置から下方へ回転する。
【０１０９】
このように左側被動歯車部材２７０ａの突起２７２ａが図１４（ｃ）にて示す位置から下方へ回転すると、左側リンク部材２６０ａが、その基端部２６１ａにて、突起２７２ａにより引っ張られてこの突起２７２ａと共に平歯車２７１ａの外周部に沿い下方へ移動する。このような移動過程において、平歯車２７１ａが図１４（ｃ）の回転位置から反時計方向に９０°回転すると、左側リンク部材２６０ａの基端部２６１ａは平歯車２７１ａの図示下方への半径方向下端部に対応する位置（図１４（ｂ）にて示す位置とは１８０°異なる位置）に移動する。これに伴い、左側帯状連結片２３１が、左側リンク部材２６０ａにより押動されてコ字状案内部材２５０の下側案内溝部２５２ａに沿いその左右方向中央部に向けて右方に移動する。
【０１１０】
また、上述のように駆動歯車部材２７０ｃがステップモータ２８０により駆動されて図１４（ｃ）にてさらに時計方向に回転すると、右側被動歯車部材２７０ｂの平歯車２７１ｂが、駆動歯車部材２７０ｃとの噛合のもとに、この駆動歯車部材２７０ｃとは逆方向（反時計方向）にさらに回転する。従って、右側被動歯車部材２７０ｂの突起２７２ｂが平歯車２７１ｂと一体となって当該平歯車２７１ｂの軸周りにこれと同一方向（反時計方向）に図１４（ｃ）にて示す位置から上方へ回転する。
【０１１１】
このように右側被動歯車部材２７０ｂの突起２７２ｂが図１４（ｃ）にて示す位置から上方へ回転すると、右側リンク部材２６０ｂが、その基端部２６１ｂにて、突起２７２ｂにより引っ張られてこの突起２７２ｂと共に平歯車２７１ｂの外周部に沿い上方へ移動する。このような移動過程において、平歯車２７１ｂが図１４（ｃ）の回転位置から反時計方向に９０°回転すると、右側リンク部材２６０ｂの基端部２６１ｂは平歯車２７１ｂの図示上方への半径方向上端部に対応する位置（図１４（ｂ）にて示す位置とは１８０°異なる位置）に移動する。これに伴い、右側帯状連結片２３２が、右側リンク部材２６０ｂにより押動されてコ字状案内部材２５０の下側案内溝部２５２ａに沿いその左右方向中央部に向けて左方に移動する。
【０１１２】
しかして、上述のように左側帯状連結片２３１がコ字状案内部材２５０の下側案内溝部２５２ａに沿いその左右方向中央部に向け右方へ移動するとともに、右側帯状連結片２３２がコ字状案内部材２５０の下側案内溝部２５２ａに沿いその左右方向中央部に向け左方へ移動すると、当該左右両側連結片２３１、２３２は、コ字状案内部材２５０の下側案内溝部２５２ａに沿いその左右方向中央部に向け互いに近づく方向に移動することとなる。
【０１１３】
これに伴い、フレキシブルプリント基板２１１においては、左側可動板部２１１ｂの延出端部２１１ｃが、左側連結片２３１により右方へ引っ張られるとともに、右側可動板部２１１ｂの延出端部２１１ｃが、右側連結片２３１により左方へ引っ張られる。このため、左右両側可動板部２１１ｂが、その各延出端部２１１ｃにて、互いに近づく方向に移動する。このことは、電飾盤２１０が、フレキシブルプリント基板２１１の左右両側可動板部２１１ｂを閉じる方向に移動させることを意味する。
【０１１４】
然る後、このような段階にて、駆動歯車部材２７０ｃがさらに時計方向に９０°回転すると、左右両側被動歯車部材２７０ａ、２７０ｂが、それぞれ、図１４（ｂ）にて示す各回転位置とは１８０°異なる回転位置からさらに９０°回転する。このため、左側被動歯車部材２７０ａの突起２７２ａが、平歯車２７１ａの水平半径方向右端部に対応する位置に移動するとともに、右側被動歯車部材２７０ｂの突起２７２ｂが、平歯車２７１ｂの水平半径方向左端部に対応する位置に移動する。
【０１１５】
すると、これに伴い、左側帯状連結片２３１が、コ字状案内部材２５０の下側案内溝部２５２ａに沿いさらに右方に移動するとともに、右側帯状連結片２３２が、コ字状案内部材２５０の下側案内溝部２５２ａに沿いさらに左方に移動する。このことは、左右両側連結片２３１、２３２は、コ字状案内部材２５０の下側案内溝部２５２ａに沿いさらに互いに近づく方向に移動することを意味する。
【０１１６】
このとき、左側被動歯車部材２７０ａの突起２７２ａは、右側被動歯車部材２７０ｂの突起２７２ｂに近い位置にあることから、左右両側帯状連結片２３１、２３２は、互いに最も近く位置する。換言すれば、フレキシブルプリント基板２１１は、その左右両側可動板部２１１ｂにて、閉じた状態にある（図３及び図４参照）。
【０１１７】
以上のように、駆動歯車部材２７０ｃが図１４（ｃ）にて示す回転位置からさらに時計方向に１８０°回転すると、左側被動歯車部材２７０ａにおいて、突起２７２ａが、平歯車２７１ａの回転に応じて、図１４（ｃ）にて示す位置から図１４（ａ）にて示す位置にかけて反時計方向に下側へ１８０°回転するとともに、突起２７２ｂが、平歯車２７１ｂの回転に応じて、図１４（ｃ）にて示す位置から図１４（ａ）にて示す位置にかけて反時計方向に上側へ１８０°回転する。
【０１１８】
これに伴い、左側リンク部材２６０ａが、突起２７２ａにより押動されて、図１４（ｃ）にて示す水平位置から図１４（ａ）にて示す水平位置まで移動し、一方、右側リンク部材２６０ｂが、突起２７２ｂにより押動されて、図１４（ｃ）にて示す水平位置から図１４（ａ）にて示す水平位置まで移動する。これにより、フレキシブルプリント基板２１１は、上述のごとく、その左右両側可動板部２１１ｂにて、閉じた状態に達する。このことは、電飾盤２１０が、フレキシブルプリント基板２１１の左右両側可動板部２１１ｂを、左右方向において互いに逆方向に一往復動させることで、開閉作動することを意味する。
【０１１９】
また、上述のような電飾盤２１０の開閉作動の過程おいては、各ＬＥＤ２２１〜２２６が、それぞれ、上述の発光駆動回路により発光駆動され、互いに異なるタイミングにてフルカラーで発光する。従って、このような各ＬＥＤ２２１〜２２６のフルカラー光が電飾盤２１０の開閉作動の過程において、視認されることとなる。
【０１２０】
以上によれば、フレキシブルプリント基板２１１が、可動演出装置２００の可動体としての役割を果たして、左右両側可動板部２１１ｂにて上述のように開閉することで、電飾盤２１０が左右方向に観音開き作動のような開閉作動を行うように見えるとともに、上述のような各ＬＥＤ２２１〜２２６のフルカラー光が電飾盤２１０の開閉作動に伴い左右方向において往復動することで、遊技者にとって、フレキシブルプリント基板２１１が上述のような湾曲状態を変化させながら、電飾盤２１０が各ＬＥＤ２２１〜２２６による電飾作動のもとに開閉する演出が、可動演出装置２００によりなされる。
【０１２１】
これにより、この種のパチンコ遊技機において、従来とは違った面白みのある演出効果が可動演出装置２００により達成され得る。また、上述のようなフレキシブルプリント基板２１１の湾曲状開閉作動が、当該パチンコ遊技機の演出に応じて、歯車列２７０の１８０度の回転ごとに繰り返されることで、可動演出装置２００による上述の演出効果がより一層高められ得る。
【０１２２】
ここで、本第１実施形態では、上述したごとく、電飾盤２１０において、支持板２４０により支持される基盤部２１１ａと、この基盤部２１１ａから一体的に延出される左右両側可動板部２１１ｂとが、単一のフレキシブルプリント基板２１１でもって形成されている。
【０１２３】
このため、可動演出装置２００において必要とされる各ＬＥＤ２２１〜２２６の搭載基板や当該各ＬＥＤ２２１〜２２６のための配線が、単一のフレキシブルプリント基板２１１で済むこととなり、その結果、可動演出装置における基板の点数及び可動演出装置の組み立て作業工数を軽減させることができる。
【０１２４】
さらに、フレキシブルプリント基板２１１は、柔軟性電気絶縁層２１２、６つの正側配線２１３〜２１８及び１本の負側配線２１９を内包するように構成されており、６個のＬＥＤ２２１〜２２６が、フレキシブルプリント基板２１１の櫛歯部２１１ｄ〜２１１ｉに対する各対応部位に被覆膜部ｍ側から搭載されて、上述のごとく、正側配線２１３〜２１８の各信号配線部及び負側配線２１９の負側配線部２１９ａに接続されている。このため、可動演出装置２００における構成部品の点数、各ＬＥＤの発光のための配線やコネクタ等の接続部品の点数や可動演出装置２００の組み立て作業工数を低減することができる。
（第２実施形態）
次に、本発明の第２実施形態について図１５〜図２１を参照して説明する。本第２実施形態においては、可動演出装置３００が、上記第１実施形態にて述べた可動演出装置２００に代えて、当該可動演出装置２００と同様に、遊技盤Ｂａの中央開口部１３の上記補助穴部にその裏面側から嵌装されている。
【０１２５】
この可動演出装置３００は、図１５〜図１９のいずれかにて示すごとく、支持体Ｓａと、この支持体Ｓａにより支持される電飾盤３１０及び駆動機構ＤＲａとによって構成されている。
【０１２６】
電飾盤３１０は、上記第１実施形態にて述べた電飾盤２１０と同様に、センター構造物３０の開口部３１を通して前方を臨むように、支持体Ｓａにより後述のごとく支持されている。
【０１２７】
ここで、支持体Ｓａは、支持板３４０と、コ字状案内部材３５０とを備えており、支持板３４０は、その上側板部（図１５参照）にて、センター構造物３０の開口部３１に対応するように、遊技盤Ｂａの上記補助穴部にその裏面側から取り付けられている。なお、当該支持板３４０は、その下側板部（図１５参照）にて、センター構造物３０の開口部３１の裏面側にてその下方へ延出している。
【０１２８】
コ字状案内部材３５０は、左右両側Ｌ字状脚部３５１及び前板部３５２でもってコ字状に形成されており、当該コ字状案内部材３５０は、左右両側Ｌ字状脚部３５１の各脚部３５１ａにて、支持板３４０の下側板部（図１５参照）にその前側から装着されている。なお、左右両側Ｌ字状脚部３５１は、それぞれ、各脚部３５１ａを形成するように、逆方向にＬ字状に屈曲して構成されている。
【０１２９】
前板部３５２は、３つの案内溝部３５２ａ、３５２ｂ及び３５２ｃを有しており、当該各案内溝部３５２ａ、３５２ｂ及び３５２ｃは、前板部３５２の左右方向に沿い下側から上側にかけて間隔をおいて互いに平行に形成されている。
【０１３０】
上述の電飾盤３１０は、単一のフレキシブルプリント基板３１１と、６つの発光ダイオード３２１〜３２６と、左右両側帯状連結片３３１、３３２とを備えている。
【０１３１】
フレキシブルプリント基板３１１は、上記第１実施形態と同様に矩形長手状の柔軟性配線板からなるもので、このフレキシブルプリント基板３１１は、基板部３１１ａと、この基板部３１１ａから延出する左右両側可動板部３１１ｂとでもって一体的に形成されている。なお、フレキシブルプリント基板３１１は、フレキシブルプリント基板２１１と同様に、柔軟性電気絶縁層２１２、６つの柔軟性正側配線２１３〜２１８及び一本の柔軟性負側配線２１９に対応する柔軟性電気絶縁層、６つの柔軟性正側配線及び一本の柔軟性負側配線を内包するように構成されており、このフレキシブルプリント基板３１１のその他の構成は、フレキシブルプリント基板２１１と同様である。
【０１３２】
このフレキシブルプリント基板３１１は、図１５にて例示するごとく、基板部３１１ａにて、支持板３４０の上側板部に沿いその前面側から固着されている。また、フレキシブルプリント基板３１１の左右両側可動板部３１１ｂは、左右方向に互いに逆向きに外方へ凸な湾曲形状となるように、基板部３１１ａの左右両側端部から前方側へ折り曲げられて延出しており、当該左右両側可動板部３１１ｂは、その各延出端部３１１ｃにて、互いに対向している（図１５〜図１９参照）。
【０１３３】
ここで、当該左右両側可動板部３１１ｂの両延出端部３１１ｃは、それぞれ、図１５〜図２０のいずれかにて示すように、互いに櫛歯状に切り欠き形成されている。即ち、左側可動板部３１１ｂの延出端部３１１ｃは、３つの櫛歯部３１１ｄ、３１１ｅ及び３１１ｆを有するように櫛歯状に切り欠き形成されており、右側可動板部３１１ｂの延出端部３１１ｃは、３つの櫛歯部３１１ｇ、３１１ｈ及び３１１ｉを有するように櫛歯状に切り欠き形成されている。
【０１３４】
これにより、左右両側可動板部３１１ｂの両延出端部３１１ｃの接合時に、左側可動板部３１１ｂは、その各櫛歯部３１１ｄ、３１１ｅ及び３１１ｆにて、右側可動板部３１１ｂの延出端部３１１ｃの各櫛歯部３１１ｇ、３１１ｈ及び１１ｉに対し櫛歯状に噛合するようになっている（図１５及び図１６参照）。
【０１３５】
また、６つのＬＥＤ３２１〜３２６は、図１５〜図２０のいずれかにて示すごとく、電飾作動素子としての役割を果たすもので、当該６つのＬＥＤ３２１〜３２６は、それぞれ、発光部Ｒ、発光部Ｇ及び発光部Ｂを各電飾作動部として有するＬＥＤでもって構成されている。これらのＬＥＤ３２１〜３２６は、それぞれ、上記第１実施形態にて述べた６つのＬＥＤ２２１〜２２６の各櫛歯部２１１ｄ〜２１１ｉへの搭載と同様に、フレキシブルプリント基板３１１の櫛歯部３１１ｄ〜３１１ｉの各対応部位に外面側（湾曲時の外面側）から搭載されている。
【０１３６】
左右両側帯状連結片３３１、３３２のうち、左側帯状連結片３３１は、図１９にて示すごとく、左側可動板部３１１ｂの延出端部３１１ｃの内面に櫛歯部３１１ｄの基端部〜櫛歯部３１１ｆの基端部に沿うように固着されて、左側延出端部３１１ｃからコ字状案内部材３５０の前板部３５２の前面に沿い各案内溝部３５２ｃ、３５２ｂ及び３５２ｃの各溝幅方向に向け下方へ延出している。
【０１３７】
ここで、左側延出端部２１１ｃの下方への延出部位は、コ字状案内部材３５０の前板部３５２の下側案内溝部３５２ａ及び中側案内溝部３５２ｂを介し、後述のごとく、駆動機構ＤＲａの左側カム部材３６０ａ（後述する）に連結されている。
【０１３８】
一方、右側帯状連結片３３２は、図１９にて示すごとく、右側可動板部３１１ｂの延出端部３１１ｃの内面に櫛歯部３１１ｇの基端部〜櫛歯部３１１ｉの基端部に沿うように固着されて、右側延出端部３１１ｃからコ字状案内部材３５０の前板部３５２の前面に沿い両案内溝部３５２ｃ及び３５２ｂの各溝幅方向に向け下方へ延出している。
【０１３９】
ここで、右側延出端部２１１ｃの下方への延出部位は、コ字状案内部材３５０の前板部３５２の中側案内溝部３５２ｂ及び上側案内溝部３５２ｃを介し、後述のごとく、駆動機構ＤＲａの右側カム部材３６０ｂ（後述する）に連結されている。なお、右側帯状連結片３３２は、左側帯状連結片３３１とは異なり、前板部３５２の中側案内溝部３５２ｂ及び上側案内溝部３５２ｃを介し、右側カム部材３６０ｂに連結されるため、右側帯状連結片３３２の全長は、左側帯状連結片３３１の全長さよりも短くなっている。
【０１４０】
駆動機構ＤＲａは、図１９にて示すごとく、左右両側カム部材３６０ａ、３６０ｂと、回転体３７０と、電動機３８０とを備えており、左右両側カム部材３６０ａ、３６０ｂは、回転体３７０の回転に伴いこの回転体３７０との連動のもとに後述のごとく左右方向に向け互いに接近し或いは互いに分離すべく移動するように回転体３７０とともに構成されている。
【０１４１】
ここで、回転体３７０は、円板３７１と、一側両円柱状押動突起３７２ａ、３７２ｂと、他側両円柱状押動突起３７２ｃ、３７２ｄとにより構成されている。円板３７１は、コ字状案内部材３５０の前板部３５２と支持板３４０の下側板部との間にて、電動機３８０の回転軸３８２に後述のごとく同軸的に支持されている。これにより、円板３７１は、電動機３８０の回転に伴い、支持板３４０の下側板部の前面に沿い回転する。
【０１４２】
一側両円柱状押動突起３７２ａ、３７２ｂ及び他側両円柱状押動突起３７２ｃ、３７２ｄは、図１９にて示すごとく、円板３７１の一直径線上にて、円板３７１の軸心に対し互いに対称的に位置するように円板３７１からその前面側へ突出されている。
【０１４３】
ここで、一側両円柱状押動突起３７２ａ、３７２ｂのうち、押動突起３７２ａは、円板３７１の外周部に位置しており、押動突起３７２ｂは、押動突起３７２ａに対し所定間隔をおいて当該押動突起３７２ａよりも円板３７１の軸心側に位置している。一方、他側両円柱状押動突起３７２ｃ、３７２ｄのうち、押動突起３７２ｄは、円板３７１の軸心に対し押動突起３７２ａとは対称的に位置しており、押動突起３７２ｃは、押動突起３７２ｄよりも上記所定間隔をおいて円板３７１の軸心側に位置するとともに、円板３７１の軸心に対し押動突起３７２ｂとは対称的に位置している。
【０１４４】
これにより、両押動突起３７２ａ、３７２ｄは、共に、円板３７１の上記一直径線上において当該円板３７１の軸心から同一円周上の位置にあり、両押動突起３７２ｂ、３７２ｃは、両押動突起３７２ａ、３７２ｄの間にてこれら各押動突起３７２ａ、３７２ｄに対し上記所定間隔をおいて、円板３７１の上記一直径線上の当該円板３７１の軸心から同一円周上の位置にある。
【０１４５】
左右両側カム部材３６０ａ、３６０ｂのうち、左側カム部材３６０ａは、後述のごとく、円板３７１の一側両押動突起３７２ａ、３７２ｂにより選択的に押動され得るように、コ字状案内部材３５０における前板部３５２の３つの案内溝部３５２ａ、３５２ｂ及び３５２ｃのうち、下側及び中側の両案内溝部３５２ａ、３５２ｂを介し、電飾盤３１０の左側帯状連結片３３１の下側延出部位に連結支持されている。一方、右側カム部材３６０ａは、後述のごとく、円板３７１の他側両押動突起３７２ｃ、３７２ｄにより選択的に押動され得るように、前板部３５２の中側及び上側の両案内溝部３５２ｂ、３５２ｃを介し、電飾盤３１０の右側帯状連結片３３１の下側延出部位に連結支持されている。
【０１４６】
左側カム部材３６０ａは、板状カム３６１（以下、左側板状カム３６１ともいう）と、両側連結突起３６２ａ、３６２ｂ（以下、左側両連結突起３６２ａ、３６２ｂともいう）とにより構成されている。
【０１４７】
左側板状カム３６１は、矩形帯状板を、円弧状逃げ面部３６１ａ及びへの字状盗み部３６１ｂを有するように図１９或いは図２１にて示すごとく切り欠くことで、形成されている。
【０１４８】
ここで、円弧状逃げ面部３６１ａは、図２１にて示すごとく、図示左斜め上側に向けて凸な円弧状となるように、円板３７１の軸心を中心として左側板状カム３６１をその上側右隅角部から左縁上側部位にかけて切り欠くことで形成されている。
【０１４９】
また、への字状盗み部３６１ｂは、図２１にて示すごとく、左側板状カム３６１の右縁下側部位をその右側から左側に向けへの字状に凹な湾曲形状となるように切り欠くことで形成されている。
【０１５０】
また、本実施形態では、左側板状カム３６１は、その右縁上部（左側板状カム３６１の右縁のうちへの字状盗み部３６１ｂの上方部位）にて、フレキシブルプリント基板３１１の左側可動板部３１１ｂを左側へ移動させるように円板３７１の押動突起３７２ｂ（以下、内側突起３７２ｂともいう）により左側へ押動される上側被左方押動縁部としての役割を果たす。また、左側板状カム３６１は、その左縁下部（左側板状カム３６１の左縁のうち円弧状逃げ面部３６１ａの下方部位）にて、フレキシブルプリント基板３１１の右側可動板部３１１ｂを右側へ移動させるように円板３７１の押動突起３７２ａ（以下、外側突起３７２ａともいう）により押動される下側被右方押動縁部としての役割を果たす。なお、左側板状カム３６１の上側被左方押動縁部及び下側被右方押動縁部は、それぞれ、平面状となっており、これら上側被左方押動縁部及び下側被右方押動縁部の図２１にて図示上下方向長さは、共に、同一の長さであって、フレキシブルプリント基板３１１の左側可動板部３１１ｂの左右方向移動長に対応している。
【０１５１】
また、左側両連結突起３６２ａ、３６２ｂは、図２１にて示すごとく、左側板状カム３６１から前方に向け突出してなるもので、左側連結突起３６２ａは、左側板状カム３６１のうちそのへの字状盗み部３６１ｂの下側部位から前方に向け突出して、コ字状部材３５０における前板部３５２の下側案内溝部３５２ａに挿通されて、電飾盤３１０の左側帯状連結片３３１の下側延出部位にその下側貫通孔部３３３を介しネジ３３３ａにより締着されている。
【０１５２】
一方、左側連結突起３６２ｂは、図２１にて示すごとく、左側板状カム３６１のうちそのへの字状盗み部３６１ｂの直上部位から前方に向け突出して、前板部３５２の中側案内溝部３５２ｂに挿通されて、電飾盤３１０の左側帯状連結片３３１の下側延出部位にその上側貫通孔部３３４を介しネジ３３４ａにより締着されている。なお、左側両連結突起３６２ａ、３６２ｂは、図２１にて示すごとく、それぞれ、左側板状カム３６１の幅の左右方向中央部に位置している。
【０１５３】
右側カム部材３６０ｂは、板状カム３６１（以下、右側板状カム３６１ともいう）と、両側連結突起３６２ａ、３６２ｂ（以下、右側両連結突起３６２ａ、３６２ｂともいう）とにより構成されている。
【０１５４】
右側板状カム３６１は、矩形帯状板を、円弧状逃げ面部３６１ａ及びへの字状盗み部３６１ｂを有するように図１９或いは図２１にて示すごとく切り欠くことで、形成されている。
【０１５５】
ここで、右側板状カム３６１の円弧状逃げ面部３６１ａは、図２１にて示すごとく、図示右斜め下側に向けて凸な円弧状となるように、円板３７１の軸心を中心として右側板状カム３６１をその下側左隅角部から右縁下側部位にかけて切り欠くことで形成されている。
【０１５６】
また、右側板状カム３６１のへの字状盗み部３６１ｂは、図２１にて示すごとく、右側板状カム３６１の左縁上側部位をその左側から右側に向けへの字状に凹な湾曲形状となるように切り欠くことで形成されている。
【０１５７】
また、本実施形態では、右側板状カム３６１は、その左縁下部（右側板状カム３６１の左縁のうちへの字状盗み部３６１ｂの下方部位）にて、フレキシブルプリント基板３１１の右側可動板部３１１ｂを右側へ移動させるように円板３７１の押動突起３７２ｃ（以下、内側突起３７２ｃともいう）により右側へ押動される下側被右方押動縁部としての役割を果たす。また、右側板状カム３６１は、その右縁上部（右側板状カム３６１の右縁のうち円弧状逃げ面部３６１ａの上方部位）にて、フレキシブルプリント基板３１１の右側可動板部３１１ｂを左側へ移動させるように円板３７１の押動突起３７２ｄ（以下、外側突起３７２ｄともいう）により左側へ押動される上側被左方押動縁部としての役割を果たす。なお、右側板状カム３６１の下側被右方押動縁部及び上側被左方押動縁部は、それぞれ、平面状となっており、これら下側被右方押動縁部及び上側被左方押動縁部の図２１にて図示上下方向長さは、フレキシブルプリント基板３１１の右側可動板部３１１ｂの左右方向移動長に対応して、それぞれ、左側板状カム３６１の上側被左方押動縁部及び下側被右方押動縁部の図２１にて図示上下方向長さに一致している。
いる。
【０１５８】
また、右側両連結突起３６２ｃ、３６２ｄは、図２１にて示すごとく、右側板状カム３６１から前方に向け突出してなるもので、右側連結突起３６２ｄは、右側板状カム３６１のうちそのへの字状盗み部３６１ｂの上側部位から前方に向け突出して、前板部３５２の上側案内溝部３５２ｃに挿通されて、電飾盤３１０の右側帯状連結片３３１の上側延出部位にその上側貫通孔部３３６を介しネジ３３６ａにより締着されている。
【０１５９】
一方、右側連結突起３６２ｃは、図２１にて示すごとく、右側板状カム３６１のうちそのへの字状盗み部３６１ｂの直下部位から前方に向け突出して、前板部３５２の中側案内溝部３５２ｂに挿通されて、電飾盤３１０の右側帯状連結片３３２の下側延出部位にその下側貫通孔部３３５を介しネジ３３５ａにより締着されている。なお、右側両連結突起３６２ｄ、３６２ｃは、図２１にて示すごとく、それぞれ、右側板状カム３６１の幅の左右方向中央部に位置している。
【０１６０】
電動機３８０は、ステップモータ（以下、ステップモータ３８０ともいう）からなるもので、このステップモータ３８０は、モータ本体３８１にて、支持板３４０の左右中央下側部位にその裏面側から組み付けられている。ここで、当該ステップモータ３８０は、その回転軸３８２（上述した電動機３８０の回転軸３８２）にて、支持板３４０左右中央下側部位に形成した開口部３４１に回転自在に同軸的に挿通されて、円板３７１を同軸的に支持している。その他の構成は、上記第１実施形態と同様である。
【０１６１】
以上のように構成した本第２実施形態において、電飾盤３１０のフレキシブルプリント基板３１１が、図１５及び図１６にて示すごとく、左側可動板部３１１ｂの各櫛歯部３１１ｄ、３１１ｅ及び３１１ｆにて、右側可動板部３１１ｂの各櫛歯部３１１ｇ、３１１ｈ及び３１１ｉと櫛歯状に噛合している。このことは、電飾盤３１０が、フレキシブルプリント基板３１１によりその左右両側可動板部３１１ｂでもって閉じていることを意味する。
【０１６２】
このような状態においては、左右両側カム部材３６０ａ、３６０ｂ及び回転体３７０は、図２１（ａ）にて示す状態にある。即ち、回転体３７０においては、円板３７１が、一側円柱状押動突起３７２ａ、３７２ｂを他側円柱状押動突起３７２ｃ、３７２ｄの直上に位置させるような回転位置にある。また、左右両側カム部材３６０ａ、３６０ｂは、円板３７１の軸心に対し点対称な位置にて、円板３７１に沿うように位置している。
【０１６３】
このとき、左側板状カム３６１は、図２１（ａ）にて示すごとく、その上側被左方押動部にて、回転部材３７０の内側押動突起３７２ｂに左側から当接しており、当該左側板状カム３６１のへの字状盗み部３６１ｂは、内側押動突起３７２ｃを介し、右側板状カム３６１の下側被右方押動縁部に対向している。一方、右側板状カム３６１は、図２１（ａ）にて示すごとく、その下側被右方押動部にて、回転部材３７０の内側押動突起３７２ｃに右側から当接しており、この右側板状カム３６１のへの字状盗み部３６１ｂは、内側押動突起３７２ｂを介し、左側板状カム３６１の上側被左方押動縁部に対向している。
【０１６４】
また、このとき、左側板状カム部材３６０ａの両連結突起３６２ａ、３６２ｂは、左側連結片３３１の下方への延出部位を、図１５にて示すごとく、コ字状案内部材３５０の前板部３５２の下側案内溝部３５２ａ及び中側案内溝部３５２ｂの各左右方向中央部に対応する位置に維持している。一方、右側板状カム部材３６０ｂの両連結突起３６２ｃ、３６２ｄは、右側連結片３３２の下方への延出部位を、図１５にて示すごとく、前板部３５２の中側案内溝部３５２ｂ及び上側案内溝部３５２ｃの各左右方向中央部に維持している。
このことは、左右両側連結片３３１、３３２は、その各下方への延出部位でもって、各案内溝部３５２ａ、３５２ｂ及び３５２ｃの各左右方向中央部にて、互いに近接して対向して位置し、フレキシブルプリント基板３１１を上述のごとく閉じていることを意味する。
【０１６５】
このような状態において、ステップモータ３８０が図１９及び図２１（ａ）にて図示反時計方向に回転すると、円板３７１が円柱状押動突起３７２ａ〜３７２ｄとともにステップモータ３８０と同一方向（反時計方向）に回転する。これに伴い、左側板状カム３６１が、その上側被左方押動縁部にて、回転部材３７０の内側押動突起３７２ｂにより左側へ押動されて移動するとともに、右側板状カム３６１が、その下側被右方押動縁部にて、回転部材３７０の内側押動突起３７２ｃにより右側へ押動されて移動する。
【０１６６】
このため、左側連結片３３１が、左側板状カム３６１の左方への移動に伴い、コ字状案内部材３５０の下側案内溝部３５２ａ及び中側案内溝部３５２ｂに沿いその各左右方向中央部から左側へ案内されるとともに、右側連結片３３２が、右側板状カム３６１の右方への移動に伴い、コ字状案内部材３５０の中側案内溝部３５２ｂ及び上側案内溝部３５２ｃに沿いその各左右方向中央部から右側へ案内される。
【０１６７】
これに伴い、フレキシブルプリント基板３１１は、左側可動板部３１１ｂの各櫛歯部３１１ｄ、３１１ｅ及び３１１ｆにて、右側可動板部３１１ｂの各櫛歯部３１１ｇ、３１１ｈ及び３１１ｉとの櫛歯状の噛合から解離して、左側可動板部３１１ｂにて右側可動板部３１１ｂとは逆方向に移動する。このことは、電飾盤３１０が、フレキシブルプリント基板３１１をその左右両側可動板部３１１ｂにて開く方向に移動させることを意味する。
【０１６８】
ここで、円板３７１が図２１（ａ）の位置から反時計方向に９０度回転すると、回転部材３７０の各円柱状押動突起３７２ａ〜３７２ｄは、図２１（ｂ）にて示すごとく、円板３７１の図示水平状の直径線上の位置に達する。このため、左右両側板状カム３６１は、左右方向において、互いに最も離れた位置に達する。このことは、フレキシブルプリント基板３１１が、左右両側可動板部３１１ｂにて、左右方向に互いに最も大きく開くことを意味する（図１７及び図１８参照）。
【０１６９】
このとき、左側板状カム３６１は、その上側被左方押動縁部及び円弧状逃げ面部３６１ａの各下端部に対する対応部位にて、両押動突起３７２ａ、３７２ｂの間に相対移動可能に挟持されている。一方、右側板状カム３６１は、その下側被右方押動縁部及び円弧状逃げ面部３６１ａの各上端部に対する対応部位にて、両押動突起３７２ｃ、３７２ｄの間に相対移動可能に挟持されている。なお、上述のような円板３７１の反時計方向への９０度の回転過程においては、各外側押動突起３７２ａ、３７２ｄが、左右両側板状カム３６１の各円弧状逃げ面部３６１ａと干渉することなくこれら各円弧状逃げ面部３６１ａに沿い移動するので、円板３７１は、円滑に回転し得る。
【０１７０】
以上のように、回転部材３７０が図２１（ａ）にて示す回転位置から図２１（ｂ）にて示す回転位置まで反時計方向に９０°回転すると、左右両側板状カム３６１は、両内側押動突起３７２ｂ、３７２ｃにより、左右方向において互いに逆向きに押動されることで、左右両側連結片３３１、３３２を介し、フレキシブルプリント基板３１１を、上述のごとく、その左右両側可動板部３１１ｂにて、最も大きく開く。
【０１７１】
このような状態において、回転部材３７０が、ステップモータ３８０により、図２１（ｂ）にて示す位置からさらに反時計方向に回転されると、円板３７１が円柱状押動突起３７２ａ〜３７２ｄとともにステップモータ３８０と同一方向（反時計方向）にさらに回転する。これに伴い、左側板状カム３６１が、その下側被右方押動縁部にて、回転部材３７０の外側押動突起３７２ａにより右側へ押動されて移動するとともに、右側板状カム３６１が、その上側被左方押動縁部にて、回転部材３７０の外側押動突起３７２ｄにより左側へ押動されて移動する。
【０１７２】
このため、左側連結片３３１が、左側板状カム３６１の右方への移動に伴い、コ字状案内部材３５０の下側案内溝部３５２ａ及び中側案内溝部３５２ｂに沿い図２１（ｂ）にて示す位置から右側へ案内されるとともに、右側連結片３３２が、右側板状カム３６１の左方への移動に伴い、コ字状案内部材３５０の中側案内溝部３５２ｂ及び上側案内溝部３５２ｃに沿い図２１（ｂ）にて示す位置からから左側へ案内される。
【０１７３】
これに伴い、フレキシブルプリント基板３１１は、左側可動板部３１１ｂにて、右側へ移動し、一方、右側可動板部３１１ｂにて、左側可動板部３１１ｂにて左方向に移動する。このことは、電飾盤３１０が、フレキシブルプリント基板３１１をその左右両側可動板部３１１ｂにて閉じる方向に移動させることを意味する。
【０１７４】
これに伴い、回転部材３７０が図２１（ｂ）にて示す回転位置から円板３７１及び各押動突起３７２ａ〜３７２ｄと共に回転して、外側突起３７２ａが、左側板状カム３６１の下側被右方押動縁部の下端部に達するとともに、外側突起３７２ｄが右側板状カム３６１の上側被左方押動縁部の上端部に達すると、両外側押動突起３７２ａ、３７２ｄが、それぞれ、左側板状カム３６１の下側被右方押動縁部及び右側板状カム３６１の上側被左方押動縁部から解離して、両内側押動突起３７２ｂ、３７２ｃとともに、図２１（ａ）にて示す位置に達する。このため、フレキシブルプリント基板３１１は、左側可動板部３１１ｂの各櫛歯部３１１ｄ、３１１ｅ及び３１１ｆにて、右側可動板部３１１ｂの各櫛歯部３１１ｇ、３１１ｈ及び３１１ｉと櫛歯状に噛合する。このことは、フレキシブルプリント基板３１１によりその左右両側可動板部３１１ｂでもって閉じたことを意味する。
【０１７５】
なお、上述のような円板３７１の反時計方向への図２１（ｂ）にて示す回転位置からの反時計方向への回転過程においては、各内側押動突起３７２ｂ、３７２ｃが、左右両側板状カム３６１の各への字状盗み部３６１ｂ内に進入するので、円板３７１は、左右両側板状カム３６１の両内側突起３７２ｂ、３７２ｃとの干渉を招くことなく、円滑に回転し得る。
【０１７６】
以上のように、回転部材３７０が図２１（ｂ）にて示す回転位置から図２１（ｃ）にて示す回転位置まで反時計方向に９０°回転すると、左右両側板状カム３６１は、両外側押動突起３７２ａ、３７２ｄにより左右方向において互いに近づく方向に押動されることで、左右両側連結片３３１、３３２を介し、フレキシブルプリント基板３１１を、上述のごとく、その左右両側可動板部３１１ｂにて、閉じる。このことは、電飾盤３１０が、フレキシブルプリント基板３１１の左右両側可動板部３１１ｂを、左右方向において互いに逆方向に一往復動させることで、開閉作動することを意味する。
【０１７７】
また、上述のような電飾盤３１０の開閉作動の過程おいては、各ＬＥＤ３２１〜３２６が、それぞれ、上述の発光駆動回路により発光駆動され、互いに異なるタイミングにてフルカラーで発光する。従って、このような各ＬＥＤ３２１〜３２６のフルカラー光が電飾盤２１０の開閉作動の過程において、視認されることとなる。
【０１７８】
以上によれば、フレキシブルプリント基板３１１が、可動演出装置の可動体としての役割を果たして、左右両側可動板部３１１ｂにて上述のように開閉することで、電飾盤３１０が左右方向に観音開き作動のような開閉作動を行うように見えるとともに、上述のような各ＬＥＤ３２１〜３２６のフルカラー光が電飾盤３１０の開閉作動に伴い左右方向において往復動することで、遊技者にとって、フレキシブルプリント基板３１１が上述のような湾曲状態を変化させながら、電飾盤３１０が各ＬＥＤ３２１〜３２６による電飾作動のもとに開閉する演出が、当該可動演出装置によりなされる。
【０１７９】
これにより、この種のパチンコ遊技機において、従来とは違った面白みのある演出効果が当該可動演出装置により達成され得る。また、上述のようなフレキシブルプリント基板３１１の湾曲状開閉作動が、当該パチンコ遊技機の演出に応じて、回転部材３７０の９０°の回転ごとに繰り返されることで、当該可動演出装置による上述の演出効果がより一層高められ得る。その他の作用効果は、上記第１実施形態と実質的に同様である。
【０１８０】
なお、本発明の実施にあたり、上記各実施形態に限ることなく、次のような種々の変形例が挙げられる。
（１）遊技盤の中央開口部をさらに大きくするように形成して、この大きな中央開口部を通して前方を臨むように可動演出装置を設けるようにして、上記各実施形態にて述べた遊技盤の補助穴部を廃止するようにしてもよい。
（２）上記各実施形態においては、可動演出装置は、遊技盤の中央開口部の外周部に沿い設けられてなる環状センター構造物の上部中央位置に開口する上部開口部に設けられるものであるが、これに限ることなく、センター構造物のいずれに位置に設けられるものであってもよい。
（３）上記各実施形態においては、ＬＥＤは、それぞれ、複数の発光部Ｒ、発光部Ｇ及び発光部Ｂを有するフルカラー型のＬＥＤであるが、これに限ることなく、互いに発光色を異色或いは同色とする単一の発光部を有してなる複数のＬＥＤであってもよい。
（４）上記各実施形態においては、ステップモータを採用するが、これに代えて直流モータ等の他の電動機を採用してもよい。
（５）上記各実施形態においては、フレキシブルプリント基板の各延出端部の形状は、閉じたときに小柄矩形状延出部が交互に噛合するものであるが、これに限ることなく、各延出端部が直線状或いは波線状などどのような形状のものであってもよい。
（６）上記各実施形態において、フレキシブルプリント基板は、各延出端部に複数のＬＥＤを搭載するものであるが、これに限ることなく、ＬＥＤの搭載位置は、どのような位置であってもよく、例えば、フレキシブルプリント基板の内側に搭載して、当該フレキシブルプリント基板が閉じた状態から開いた状態に変化したときに内側から発光するようにしてもよい。
（７）上記各実施形態においては、フレキシブルプリント基板の内面及び外面は、不透明の絶縁被覆膜部で被覆されているが、この被覆膜部に種々の意匠をあしらって演出効果を高めるようにしてもよい。
（８）上記第１実施形態においては、フレキシブルプリント基板の各延出端部は、左右対称な動きをして開閉作動するものであるが、これに限ることなく、歯車機構において各歯車部材が異なる直径或いは異なる歯車ピッチを有するようにして、左右に時間的ずれをもってそれぞれが往復作動するようにしてもよい。
（９）上記第２実施形態においては、フレキシブルプリント基板の各延出端部は、左右対称な動きをして開閉作動するものであるが、これに限ることなく、カム部材機構において回転部材が具備する円柱状押動突起の位置と板状カムの形状を工夫するようにして、左右に時間的ずれをもってそれぞれが往復作動するようにしてもよい。
（１０）上記第２実施形態のカム部材機構において、回転部材が具備する円柱状押動突起の位置と板状カムの形状とは、この第２実施形態に述べたものに限ることなく、採用する円柱状押動突起の位置と板状カムの形状との組み合わせによって、フレキシブルプリント基板の各延出端部が往復作動するものであればどのような組み合わせであってもよい。
【符号の説明】
【０１８１】
Ｂａ…遊技盤、ＤＲ、ＤＲａ…駆動機構、Ｓ、Ｓａ…支持体、１３…中央開口部、
３０…センター構造物、３１…開口部、１１１…表示パネル、２１０、３１０…電飾盤、
２１１、３１１…フレキシブルプリント基板、２１１ａ、３１１ａ…基板部、
２１１ｂ、３１１ｂ…可動板部、２１１ｃ、３１１ｃ…延出端部、
２２１〜２２６、３２１〜３２６…ＬＥＤ、２３１、２３２、３３１、３３２…連結片、
２３７、２３７…ピン、２４０、３４０…支持板、２５０、３５０…コ字状案内部材、
２５２ａ、２５２ｂ、３５２ａ〜３５２ｃ…案内溝部、
２６０ａ、２６０ｂ、３６０ａ、３６０ｂ…連結部材、２７０…歯車列、２７０ａ、２７０ｂ…被動歯車部材、２７０ｃ…駆動歯車部材、２７１ａ、２７１ｂ…平歯車、
２７２ａ、２７２ｂ…突起、３６０ａ、３６０ｂ…カム部材、
３６２ａ〜３６２ｄ…連結突起、３７０…回転部材、３７１…円板、３７１ｂ…軸心、
３７２ａ〜３７２ｄ…円柱状押動突起、２８０、３８０…電動機、
２８２、３８２…回転軸。
【図１】
2011229843.tif 000003
【図２】
2011229843.tif 000004
【図３】
2011229843.tif 000005
【図４】
2011229843.tif 000006
【図５】
2011229843.tif 000007
【図６】
2011229843.tif 000008
【図７】
2011229843.tif 000009
【図８】
2011229843.tif 000010
【図９】
2011229843.tif 000011
【図１０】
2011229843.tif 000012
【図１１】
2011229843.tif 000013
【図１２】
2011229843.tif 000014
【図１３】
2011229843.tif 000015
【図１４】
2011229843.tif 000016
【図１５】
2011229843.tif 000017
【図１６】
2011229843.tif 000018
【図１７】
2011229843.tif 000019
【図１８】
2011229843.tif 000020
【図１９】
2011229843.tif 000021
【図２０】
2011229843.tif 000022
【図２１】
2011229843.tif 000023